(57)【要約】【課題】ユーザの関心に対応して広告表示する。【解決手段】本発明は、広告表示装置、端末に向けてコンテンツのサマリを配信するための狭域ネットワーク、少なくとも一つの狭域ネットワークを含む、端末からのサマリの受信に対応したコンテンツの詳細にアクセスするための広域ネットワーク、及びコンテンツの詳細を保持し、保持しているコンテンツの詳細へのアクセスを監視し、この監視結果に基づいて、狭域ネットワーク近傍の広告表示装置へ表示する広告のスケジュールを変更するセンタ装置により構成される電子広告システムである。【選択図】図２
2009128498.tif 000002
【特許請求の範囲】
【請求項１】
スケジュールに基づいて広告を表示する広告表示装置、端末に向けてコンテンツのサマリを配信するための狭域ネットワーク、少なくとも一つの前記狭域ネットワークの第１の通信領域を含む第２の通信領域を有し、前記端末からの前記サマリの受信に対応したコンテンツの詳細にアクセスするための広域ネットワーク、及び、前記広告表示装置、前記狭域ネットワーク及び前記広域ネットワークと接続し、前記コンテンツの詳細を保持し、該保持しているコンテンツの詳細への前記アクセスを監視し、該詳細アクセス監視結果に基づいて、前記第1の通信領域近傍の前記広告表示装置へ表示する広告の前記スケジュールを変更するセンタ装置を有することを特徴とする電子広告システム。
【請求項２】
請求項１記載の電子広告システムにおいて、さらに前記センタ装置に接続され、前記狭域ネットワークに対応して設けられ、前記コンテンツのサマリを保持し、前記狭域ネットワークを介して前記端末へ前記保持しているコンテンツのサマリを配信するサマリ配信サーバを有することを特徴とする電子広告システム。
【請求項３】
請求項２記載の電子広告システムにおいて、前記端末は、前記サマリ配信サーバよりの配信情報からサマリアクセス情報を作成し、該サマリに対応した詳細コンテンツにアクセスするに際し該サマリアクセス情報を前記センタ装置へ送り、前記センタ装置は、前記詳細アクセス監視結果及び該サマリアクセス情報監視結果に基づいて、前記第1の通信領域近傍の前記広告表示装置へ表示する広告の前記スケジュールを変更することを特徴とする電子広告システム。
【請求項４】
請求項２記載の電子広告システムにおいて、前記センタ装置は、前記端末に関連付けられたユーザＩＤに対応して登録された、前記コンテンツに関わるジャンル情報を保持し、前記サマリ配信サーバは、前記狭域ネットワークを介して接続する前記端末の前記ユーザＩＤに応じた前記ジャンル情報を前記センタ装置から得、該得たジャンル情報に対応したコンテンツのサマリを前記狭域ネットワークを介して前記端末へ配信することを特徴とする電子広告システム。
【請求項５】
請求項４記載の電子広告システムにおいて、前記端末は、前記サマリ配信サーバよりの配信情報からサマリアクセス情報を作成し、該サマリに対応した詳細コンテンツにアクセスするに際し該サマリアクセス情報を前記センタ装置へ送り、前記センタ装置は、前記詳細アクセス監視結果及び該サマリアクセス情報監視結果に基づいて、前記第1の通信領域近傍の前記広告表示装置へ表示する広告の前記スケジュールを変更することを特徴とする電子広告システム。
【発明の詳細な説明】
【技術分野】
【０００１】
本発明は、店舗や公共の場所で広告コンテンツを表示するための電子広告（デジタルサイネージ）に関し、特に、依頼された広告内容を視聴者の関心が高い場所・時間帯に表示するのに好適な方法に関連する。
【背景技術】
【０００２】
ネットワークを利用した電子広告システムでは、どの場所で、いつ、どういうコンテンツを表示したら最も効果的かが問題となる。そのための方法として、特許文献１には、広告モニターを見る視聴者の顔をカメラで撮影・分析し統計上最も相応しいコンテンツを選択して表示する方法が示されている。また、特許文献２には、広告前に集まる視聴者のカメラ映像や音声での反応情報を収集してセンタ側に送り、広告効果の分析に利用することが示されている。
【０００３】
【特許文献１】特開２００５−２６７６１１号公報
【特許文献２】特開平１１−１５３９７７号公報
【発明の開示】
【発明が解決しようとする課題】
【０００４】
上記特許文献で示されている様な、電子広告を見る視聴者をカメラで撮影・監視して彼らの反応・行動から該広告内容への関心度を推定する方法は、都会のように視聴者が密集している場所が多かったり、また広告が置かれている場所が広場だけでなく通行場所に設置されているので、個々人の表情を捉えることが困難である。また広告に対する反応の仕方には元々個人差がある上、カメラで撮影される事に拒否反応を示す人も多く正確な判定が困難である。
さらに一般にカメラ映像の伝送には大容量の帯域を要する事、省人化のための高性能な画像処理装置導入は高価でシステム構築費用が高くなる。
【０００５】
本発明はかかる点に鑑みてなされたものであり、電子広告コンテンツへのユーザの関心度を正確にかつ低コストに実現することを目的とする。
【課題を解決するための手段】
【０００６】
本発明の電子広告システムは、広告を表示するスケジュールに基づいて広告を表示する広告表示装置、端末に向けてコンテンツのサマリを配信するための狭域ネットワーク、少なくとも一つの狭域ネットワークの第１の通信領域を含む第２の通信領域を有し、端末からのサマリの受信に対応したコンテンツの詳細にアクセスするための広域ネットワーク、及び広告表示装置、狭域ネットワーク及び広域ネットワークと接続し、コンテンツの詳細を保持し、保持しているコンテンツの詳細へのアクセスを監視し、この監視結果に基づいて、第1の通信領域近傍の広告表示装置へ表示する広告のスケジュールを変更するセンタ装置により構成される。
【発明の効果】
【０００７】
本発明によると、電子広告に近接するユーザでこの広告内容に関心を寄せる人の有無が分かり、依頼のあった広告をより的確にユーザの関心が高い場所・時間帯に表示できる。
【発明を実施するための最良の形態】
【０００８】
以下、本発明の実施形態を図面を参照し説明する。図１は、ユーザの１利用場面を模擬したもので、例えばセルラ網といった広域且つ周知の第１ネットワーク０１０１と、例えばＷｉＦｉ（Wireless Fidelity）無線といった狭域且つ第１ネットワーク内に複数存在し得る第２ネットワーク０１０２との関係を図示したものである。符号０１０６はＷｉＦｉ無線のアクセスポイントであり、第２ネットワークに端末がアクセスするには、このアクセスポイント０１０６にアクセスするに相応したりする。
【０００９】
図1に示すように、ユーザないしはユーザ所有の端末０１０３がアクセス可能な領域は、第１ネットワークに比べて第２ネットワークは狭域である。図１でユーザ（ないしは端末）０１０３は破線矢印０１０４で示す方向に移動するとして、領域０１０２では第２ネットワークにアクセス可能であるが、領域０１０５を移動中は第２ネットワークへのアクセスは出来ない。
【００１０】
このような利用場面において、本実施形態は、領域０１０２において第２ネットワークにアクセスし、予めユーザが希望設定していたジャンルに関するサマリコンテンツを端末が受取り、これを自端末に格納し、領域０１０５といった距離ないしは領域を例えば移動中に、領域０１０２で格納したサマリコンテンツをユーザが視聴（確認）し、興味を抱いた場合に（更なる詳細情報を知り得る行為として）、第１ネットワーク０１０１を介し詳細コンテンツにアクセスするようにしている。
【００１１】
これは、例えば、商店街を移動中に、ある地点（領域０１０２相当の領域）で女性服などの簡単なサマリコンテンツを獲得し、領域０１０５相当の領域を移動中に或いは食事中などに、そのサマリコンテンツ（女性服に関する簡単な情報）を確認し、この女性服に興味を抱いた際、購入動機を抱く際などのシチュエーションにおいてユーザにとって有益である。すなわち、購入動機を抱き、例えば販売店の場所情報や服色のバリエーション情報、サイズなどといった詳細情報を期待して第１ネットワークを介し詳細コンテンツにアクセスし、それら知り得たい詳細情報を確認し販売店へ移動する、など想定できる。
【００１２】
また、図１では、領域０１０２近傍に位置する端末を所有しない不特定多数のユーザ０３０７に対し、広告表示という形態で広告を表示する装置０２１２を例示している。この表示装置０２１２は、例えばビル外壁に備えられる大型ディスプレイなどのように一般的に通常街中などに存在するものである。本実施形態は、予め希望設定していたジャンルに関するサマリコンテンツを獲得した端末所有のユーザ０１０３などが、そのサマリコンテンツに誘発され詳細コンテンツに実際にアクセスしたことを示す情報など（以下、アクセス情報と呼ぶ）をセンタシステム（センタ装置）に収集し、収集結果を基に、例えば人気度合いの高い広告コンテンツ或いは人気度の高いコンテンツと同類ジャンルの他広告コンテンツを、表示装置０２１２に表示する。場合によっては表示装置０２１２で表示の広告コンテンツを切り替える。このようにすることにより、端末を所持しない不特定多数のユーザ０３０７に対しても有益と考える広告コンテンツを提示するものである。
【００１３】
本実施形態について全体構成例を図２に示す。広域なエリアをカバーする第１ネットワーク０１０１に対し、図２では、０１０２、０１０２Ａの２つの第２ネットワークを例示している。このように、例えばＷｉＦｉ無線などといった狭域の第２ネットワークは、第１ネットワークエリアに複数混在し多様な形態をとる。
【００１４】
０１０６、０１０６Ａ、０１０６Ｂはそれぞれ第２ネットワークのアクセスポイントであり、０１０２Ａの第２ネットワークでは、ＷｉＭＡＸ（Worldwide Interoperability for Microwave Access）のアンテナ０２０１を中心に例えばＷｉＦｉのアクセスポイント０１０６Ａ、０１０６Ｂが存在するケースを例示している。
【００１５】
また、０１０２の第２ネットワークは、アクセスポイント０１０６を介し、加入者回線０２０６にてインターネット網０１０１Ｂに接続している。同様、第２ネットワーク０１０２Ａも、加入者回線０２０７にてインターネット網０１０１Ｂに接続している。勿論、端末０２１５がＷｉＭＡＸアンテナ０２０１に直接接続できるような手段を具備するのであれば、アンテナ０２０１に直接接続する形態も考えられる。この場合、アクセスポイント０１０６もＷｉＭＡＸアンテナとなる。
【００１６】
図２で端末０２１５は、広域なエリアをカバーする第１ネットワークにアクセスできる通信手段、及び、複数存在する、狭域のエリアのみをカバーする任意の第２ネットワークにアクセスできる通信手段を具備する。
【００１７】
第１ネットワークへの端末アクセスは、実際、第１ネットワークエリア０１０１に多数存在する第１ネットワークのアクセス網０１０１Ａにアクセスする。アクセス網０１０１Ａを介し端末０２１５は、ＮＧＮ（Next Generation Network）網０１０１Ｃやインターネット網０１０１Ｂにアクセスでき、図２では、インターネット網０１０１Ｂを介しＮＧＮ網０１０１Ｃにアクセスすることを例示している。勿論、アクセス網０１０１Ａから直接０１０１ＣのＮＧＮ網へアクセスすることも網側の構成次第であり、０１０１Ａ、０１０１Ｂ、０１０１Ｃのこのような関係は、本実施形態では本質的な意味を持つものではない。
【００１８】
つまり、０２１６で示すようなサーバシステム群がインターネット網０１０１Ｂに存在しようが、ＮＧＮ網０１０１Ｃに存在しようがどちらでも良く、本実施形態の本質ではなく、図２では、インターネット網０１０１Ｂに存在するケースとして０２１６を、ＮＧＮ網に存在するケースとして０２１６Ａを、それぞれ本実施形態にかかるサーバシステムとして例示している。勿論、あるシステムがＮＧＮ網にあって、残りのシステムがインターネット網に存在しても良い。
【００１９】
このように、第１ネットワークとは、端末０２１５から見ると、そのエリアである０１０１であり、最も手前に存在するアクセス網０１０１Ａでもあり、インターネット網０１０１ＢやＮＧＮ網０１０１Ｃを含んだものであっても良く、０１０１Ａ、０１０１Ｂ、０１０１Ｃの総和のネットワークであっても良い。以下では、説明の便宜上、特定の記述をしてない限りにおいては、インターネット網０１０１Ｂ上の０２１６に位置しているものとして説明する。
【００２０】
図２で端末０２１５の例としては携帯電話、ＰＤＡなどが挙げられる。また、端末０２１５が無線LAN付きの携帯電話とすれば、図２のアクセス網０１０１Ａは、携帯電話の公衆網に相当したりする。また図２では、０２１２、０２１２Ａに広告表示装置、０２０２、０２０２Ｂ、０２０２Ａにサマリ配信サーバシステム、０２０３、０２０３Ａ、０２０４、０２０４Ａに詳細コンテンツ配信サーバシステム、０２０５、０２０５Ａに管理制御サーバシステムとして例示している。
【００２１】
０２０３と０２０３Ａの詳細コンテンツ配信サーバシステムの違いは、前述の通り、インターネット網上に存在するかＮＧＮ網上に存在するかという意味である。０２０４と０２０４Ａの違いも、０２０５と０２０５Ａの違いも同様である。また、管理制御サーバシステムと詳細コンテンツ配信サーバシステムは、図２では０２１０、０２１０Ａといったように同じ網状に存在し相互に接続されている様子を例示しているが、例えば、０２０５の管理制御サーバシステムと接続する詳細コンテンツサーバ０２０３がＮＧＮ網上に存在しても勿論良い。
【００２２】
更に、詳細コンテンツ配信サーバシステムは、図２で、０２０３、０２０４の２つの接続形態の様子を例示しているが、通常このように、複数存在し得る。むしろ、複数存在する場合の方が一般的に考えられる。つまり、インターネットで良く見られる色々なサイトは通常、別々のシステム上（サーバ上）に存在するに同様である。
【００２３】
一方、サマリ配信サーバシステムは、第２ネットワークの拠点或いは第２ネットワークの通信環境にアクセスできるその狭域のエリアに相応し存在し、複数台のアクセスポイントや複数台の広告表示装置を１つのサマリ配信サーバシステムに接続する。
【００２４】
図２例示のサマリ配信サーバシステム０２０２では、０１０６、０２１２のように、それぞれ１つの接続の様子を例示しているが、例えば広告表示装置が２台であっても良く、その両台とも同じ広告コンテンツを表示することも、同時刻に別々の広告コンテンツを表示することも可能である。
【００２５】
サマリ配信サーバシステム０２０２に広告表示装置を接続する場合、サマリ配信サーバシステム０２０２が広告コンテンツの表示を制御するようにし、例えば２台の広告表示装置を接続するも、その双方で表示するべき広告コンテンツ及び、どちらか一方で表示するべきコンテンツであっても、自システムに接続の広告表示装置で表示するべき広告コンテンツの全てをサマリ配信サーバシステム０２０２が管理し、コンテンツ表示を制御する。
【００２６】
また、サマリ配信サーバシステムにアクセスポイントを接続しない場合もあり得る。図２例示でエリア０２１３に示すように、広告表示装置のみの接続としても良い。このように、サマリ配信サーバシステムは、アクセスポイント或いは広告表示装置との接続を伴い、任意の限定的な場所（ローカルエリア）に設け、例えば街頭など、サマリコンテンツをアクセスポイントを介し端末０２１５に配信する、或いは、広告コンテンツを広告表示装置に対し表示し、図１の端末不所持などの近傍の人０３０７へ広告コンテンツを提供する、ないしは配信・表示のどちらも担う。
【００２７】
後述するが、このサマリ配信サーバシステムに接続の機器構成は、センタシステムに相応する管理制御サーバシステム０２０５にて管理し、広告表示装置で表示するべき広告コンテンツを管理制御サーバシステムでスケジュールし、どの広告表示装置で何の広告コンテンツを表示するかを管理制御サーバシステムから指示を受け、その指示（スケジュール）に従い、サマリ配信サーバシステムは自システムに接続の広告表示装置に広告コンテンツを表示する。
【００２８】
サマリ配信サーバシステム０２０２と管理制御サーバシステムとは、加入者回線０２０６で接続し、同様に、０２０２Ｂは加入者回線０２１１で、０２０２Ａは加入者回線０２０７で、インターネット網０１０１Ｂ上に位置づけられる管理制御サーバシステムと通信接続する。前述のように、インターネット網０１０１Ｂ上ではなくＮＧＮ網０１０１Ｃに管理制御サーバシステムを用意する場合は、サマリ配信サーバシステム０２０２用の加入者線０２０６は０２１４、同様に、０２１１は０２０８、０２０７は０２０９となり、ＮＧＮ網上の管理制御サーバシステム０２０５Ａとそれぞれ通信接続する。この場合も勿論、０２０６、０２１１、０２０７を介し、それぞれのサマリ配信サーバシステムがインターネット網０１０１ＢからＮＧＮ網上の管理制御サーバシステム０２０５Ａに通信接続するなども考えられる。このようなサマリ配信サーバシステムと管理制御サーバシステムとの接続態様は各種考えられるが、何れも本実施形態の本質的なことではない。
【００２９】
ここまで説明してきたように、広域エリアでそのアクセスをカバーする第１ネットワークと、第１ネットワークに複数混在し狭域のローカルエリアでそのアクセスをカバーする第２ネットワークと、第１ネットワークに複数混在しローカルエリアに設置の広告表示装置とにおいて、本実施形態は、第２ネットワークのアクセスポイントや広告表示装置をサマリ配信サーバシステムに接続するようにし、サマリ配信サーバシステムは管理制御サーバシステムと接続する。エリア０２１３のように広告表示装置のみの接続であっても良く、エリア０１０２Ａのようにアクセスポイントなどの接続のみであっても良い。
【００３０】
そのうえで、本実施形態は、図１例示の端末所有のユーザ０１０３などが、予め希望設定していたジャンルに関するサマリコンテンツを第２ネットワークにて端末０２１５（図１例示のユーザ０１０３の端末）がアクセスしてそれを取得する（例えばアクセスポイント０１０６を介しサマリ配信サーバシステム０２０２から取得するなど）。そのサマリコンテンツに誘発されたユーザ０１０３などが第１ネットワークにてアクセスし詳細コンテンツに実際にアクセスする（例えば０１０１Ａを介し詳細コンテンツ配信サーバ０２０３にアクセスするなど）。これらアクセスした事実の情報（アクセス情報）を管理制御サーバシステムが収集し、収集結果を基に、例えば人気度合いの高い広告コンテンツ或いは人気度の高いコンテンツと同類ジャンルの他広告コンテンツを、広告表示装置に表示するように（或いは広告表示装置で表示の広告コンテンツを切り替えるように）、管理制御サーバシステムがサマリ配信サーバシステムに接続の広告表示装置毎にスケジュールする。管理制御サーバシステムは、この表示スケジュールを該当する広告表示装置と接続のサマリ配信サーバシステムに指示する。サマリ配信サーバシステムがその指示に従い広告コンテンツを表示する（ないしは切り替える）。このようにして、その広告表示装置近傍の図１例示の不特定多数ユーザ０３０７に対し広告コンテンツを提示する。
【００３１】
これら端末所持ユーザ、端末、サマリ配信サーバシステム、詳細コンテンツ配信サーバ、管理制御サーバシステム、広告表示装置、不特定多数ユーザの関係概要を図３に例示する。
【００３２】
図３で符号０３０８は、広告提供者、或いは（詳細）コンテンツ提供者、或いは本システムの運用者などに相応する。つまり、いわゆるコンテンツを登録ないしは生成するものを指す。登録するコンテンツは、詳細コンテンツに関するサマリコンテンツであったり、広告表示装置で表示する広告コンテンツであったりする。勿論、サマリ・広告のコンテンツに関連する付帯情報なども含む。付帯情報としては例えば詳細コンテンツのＵＲＬなどである。また、いわゆるコンテンツは、詳細コンテンツのサマリのみの提供であっても良いし（但し、サマリコンテンツの提供と詳細コンテンツの用意は対である）、広告表示装置で表示する広告コンテンツのみの提供であっても良い。必ず、両コンテンツの提供を必須とする必要はない。
【００３３】
提供者０３０８が回線０３０１を介し管理制御サーバシステムに登録したコンテンツは、管理制御サーバシステムにて各ローカルエリアのサマリ配信システム０２０２に回線０３０２にて展開する。この回線０３０１は、図２例示にあるような加入者線０２０６、０２１４などである。また、０３０８がシステム運用者などである場合は、回線０３０１は管理制御サーバシステム内の例えばイントラネット回線などである。
【００３４】
登録されたコンテンツ（サマリコンテンツ、広告コンテンツ）は、管理制御サーバシステムで別途管理しているサマリ配信サーバシステムの場所、接続機器構成（アクセスポイントや広告表示装置などの構成）などに応じ、コンテンツ提供者の希望条件などに合致するように、サマリ配信サーバシステム単位に展開する。
【００３５】
例えば、コンテンツ提供者の希望条件が例えば国内配信であれば、国内に存在するサマリ配信サーバシステムに対し該コンテンツ提供者の広告コンテンツを展開する、広告表示装置の接続のないサマリ配信サーバシステムには広告コンテンツの展開は行なわない、などの具合である。このとき、広告コンテンツはその表示スケジュールを伴ない、管理制御サーバシステムから各所に散ばるサマリ配信サーバシステムに展開する。
【００３６】
サマリ配信サーバシステムへの展開０３０２は、図２例示の回線０２０６、０２１１、０２０７、０２１４、０２０８、０２０９に相応する。サマリ配信サーバシステムの扱うコンテンツのうち、サマリコンテンツは端末（ないしはユーザ）０２１５に対して提供し、広告コンテンツは広告表示装置で表示する。
【００３７】
端末を所有するユーザ０２１５は、例えば、洋食、女性服、などといったコンテンツの希望ジャンルなどを予め登録しておく。また、ショッピングなど外出先でこのユーザは、第２ネットワークで通信するに必要な端末の通信手段を起動させておく。ユーザが第２ネットワーク０３０３の狭域のエリアにさしかかると、サマリ配信サーバシステム０２０２から洋食、女性服のサマリコンテンツを受ける。移動中や食事中などで受取ったサマリコンテンツを端末で確認し、詳細な内容を知る場合には第１ネットワーク０３０４にて詳細コンテンツ配信サーバにアクセスし詳細内容を確認する。サマリコンテンツには、第１ネットワークを介し提供される詳細コンテンツの例えばＵＲＬ情報やアドレス情報などを格納しておく。この格納は管理制御サーバシステムで処理し、サマリ配信サーバシステムへの展開時に既に対応付けられている。ユーザは、興味抱くサマリコンテンツを端末０２１５で選択するだけで、第１ネットワークを介しそのサマリコンテンツに係る詳細内容を提供する詳細コンテンツ配信サーバシステムにアクセスできる。
【００３８】
詳細コンテンツ配信サーバシステムへのアクセス時に端末０２１５は、受取ったサマリコンテンツの場所や時間帯などの情報を詳細コンテンツ配信サーバシステム０２０３に提供し、詳細コンテンツ配信サーバシステム０２０３は、これら情報及びアクセス事実（アクセス情報）を管理する。このように、サマリコンテンツを受取り、詳細コンテンツ配信サーバシステムにアクセスしてきた情報を詳細コンテンツ配信サーバシステムは管理し、これらアクセス情報は定期的に回線０３０５にて管理制御サーバシステムが収集する。回線０３０５は、図２例示で０２１０、０２１０Ａに相応する。
【００３９】
複数存在する詳細コンテンツ配信サーバシステムのそれぞれから定期的にアクセス情報を収集した管理制御サーバシステム０２０５は、収集したアクセス情報を基に、例えば人気の高いコンテンツ或いは人気コンテンツの属すジャンルなどを算出処理し、広告コンテンツの表示スケジュールを再スケジュールし、各所に散在する（且つ広告表示装置を伴なう）サマリ配信サーバシステムに対し、表示指示していた広告コンテンツを再指示する（０３０６）。
【００４０】
符号０３０６はこの再指示を模擬したものであって、先述の０３０２と別表記したに過ぎず、０３０２に同様、図２例示の回線０２０６、０２１１、０２０７、０２１４、０２０８、０２０９に相応する。つまり、図３例示において、０３０２・０３０６区別表記の説明趣旨は、広告表示装置０２１２に表示の広告コンテンツに関し、当初表示のスケジュールとし０３０２を、その変更スケジュールとして０３０６を、それぞれ管理制御サーバシステム０２０５がサマリ配信サーバシステム０２０２に再展開することを意味している。
【００４１】
再スケジュールを受取ったサマリ配信サーバシステム０２０２は、受取るまで広告表示装置０２１２に表示していた広告コンテンツ（ないしは表示スケジュール）を破棄し、再表示スケジュールに従い広告コンテンツを表示する（０３０９）。
【００４２】
このように本実施形態は、端末０２１５を所持するユーザが興味あるジャンルに関するサマリコンテンツを受取って、実際に詳細コンテンツを欲し詳細コンテンツにアクセスした事実を収集し、その収集値を下に、端末所持・不所持に関わらず広告表示装置近傍の不特定多数のユーザ０３０７に対して広告内容を表示する、ないしは切り替える。
【００４３】
以下、本実施形態の全体構成例である図２或いは図３において、端末０２１５、サマリ配信サーバシステム０２０２、詳細コンテンツ配信サーバシステム０２０３、管理制御サーバシステム０２０５とに関し、図４、図５、図６、図７、図８、図９、図１０、及び図１１のそれぞれを用い実施例１として、図１２、図１３、図１４、及び図１５のそれぞれを用い実施例２とし、順次説明する。
【００４４】
なお、説明の便宜上、詳細コンテンツ配信サーバシステム及び管理制御サーバシステムはインターネット網上に存在し、詳細コンテンツ配信サーバシステム、サマリ配信サーバシステム、管理制御サーバシステムそれぞれは、いわゆるＷｅｂインタフェースで通信するものとする。
【００４５】
すなわち、サマリ配信サーバシステム及び詳細コンテンツ配信サーバシステムはそれぞれＷｅｂアプリケーションサーバを有し、それぞれ該Ｗｅｂアプリケーションサーバが、管理制御サーバシステム提供のＷｅｂサーバに対し定期的にＷｅｂアクセスし、自システム向けの管理制御サーバシステムの情報を受け取ったり、管理制御サーバシステムに対し自システムの情報を渡したりなどをする、通信インタフェースで構築するものとする。勿論、管理制御サーバシステムにＷｅｂサーバを用意せず、それぞれのシステムのアプリケーション処理部がお互いに直接通信するような態様で構築したりするなども可能である。
【実施例１】
【００４６】
端末を所持するユーザが興味あるジャンルに関するサマリコンテンツを受取って、実際に詳細コンテンツを欲し詳細コンテンツにアクセスした事実を収集し、その収集値を基に、端末所持・不所持に関わらず広告表示装置近傍の不特定多数のユーザに対し広告内容を表示する、ないしは切り替える、といった関係動作に関し、実施例１として、端末所持ユーザのジャンル登録を端末に登録、管理する場合でのサマリ配信サーバシステム、詳細コンテンツ配信サーバシステム、管理制御サーバシステム、及び端末を説明する。
【００４７】
図４は、実施例１の主要部の構成を示し、サマリ配信サーバシステム０２０２、管理制御サーバシステム０２０５、詳細コンテンツ配信サーバシステム０２０３の構成例である。
【００４８】
図４例示において、管理制御サーバシステム０２０５は、大きくＷｅｂサーバ、アプリケーションサーバ０４０２、データ管理サーバ０４０１で構成するようにしている。同図でＷｅｂサーバは、イントラＷｅｂサーバ０４０３、サマリ配信用Ｗｅｂサーバ０４０５、広告用Ｗｅｂサーバ０４０４、収集用Ｗｅｂサーバ０４０６の４つで構成し、それぞれ他の装置或いはシステムとの情報の入出力を担う。勿論、図４例示のように、Ｗｅｂサーバという装置イメージでそれぞれをお互いに別々のサーバなどで構成しても良いが、例えば０４０３、０４０４、０４０５、０４０６の装置を各々ＵＲＬで区分し１台のサーバで構成するなどであっても良い（０４０３、０４０４、０４０５、０４０６の各々のＵＲＬが異なっていれば１台のサーバであっても良い）。これら４つのＷｅｂサーバそれぞれと、データ管理サーバとして位置づけるサマリ・広告コンテンツ管理サーバ０４０１との間のアプリケーションインターフェースを担うのが管理制御アプリケーションサーバ０４０２である。
【００４９】
図４例示において管理制御アプリケーションサーバ０４０２は、大きく、イントラ処理部０４０８、広告配信スケジューラ０４０９、サマリ配信スケジューラ０４１０、収集処理部０４１１の４つの処理部から成り、特に、イントラＷｅｂサーバ０４０３用の入出力処理、すなわちサマリ・広告コンテンツ管理サーバ０４０１への書き込み・読み出し処理を担うのがイントラ処理部０４０８、サマリ用Ｗｅｂサーバ０４０５用の入出力処理（サマリ・広告コンテンツ管理サーバ０４０１への書き込み・読み出し処理）及び収集処理部０４１１との連携処理を担うのがサマリ配信スケジューラ０４１０、同様、広告用Ｗｅｂサーバ０４０４用の入出力処理（サマリ・広告コンテンツ管理サーバ０４０１への書き込み・読み出し処理）及び収集処理部０４１１との連携処理を担うのが広告配信スケジューラ０４０９、収集用Ｗｅｂサーバ０４０５用の入出力処理（サマリ・広告コンテンツ管理サーバ０４０１への書き込み・読み出し処理）及びサマリ配信スケジューラ０４１０、広告配信スケジューラそれぞれに対し連携処理を担うのが収集処理部０４１１である。
【００５０】
イントラＷｅｂサーバ０４０３は、コンテンツ提供者から受けたサマリコンテンツ、広告コンテンツをオペレータが管理制御サーバシステム０２０５に登録する際の入力ＩＦ（ＧＵＩ）を提供し、登録状況などをオペレータが確認する際の出力ＩＦ（ＧＵＩ）を提供し、また、コンテンツを分類するジャンルの体系定義や各所に散在するサマリ配信サーバシステムの場所及びそのサマリ配信サーバシステムに接続の機器構成（アクセスポイント０１０６、広告表示装置０２１２の接続構成状況）をオペレータが定義、登録、確認する際の入出力ＩＦ（ＧＵＩ）を提供する。
【００５１】
更にこのイントラＷｅｂサーバ０４０３は、コンテンツ提供者希望のコンテンツ提供に関わる諸条件について（オペレータ或いはコンテンツ提供者が）入力、確認する際の入出力ＩＦ（ＧＵＩ）を提供する。この諸条件とは、後述する図６例示にあるようなコンテンツ提供有効期間、希望対象地域などを指し、この他も希望条件は様々存在し得る。これらコンテンツ提供者のコンテンツ提供条件に基づき管理制御サーバシステム０２０５は、サマリコンテンツの配信及び広告コンテンツの表示に関わるスケジュールを、サマリ配信サーバシステム毎に定期的に生成する。
【００５２】
オペレータなどが管理制御サーバシステム０２０５に対し登録、確認に使用する端末、例えばＰＣなどの端末、が０４０７の登録端末である。図４例示で登録端末０４０７とイントラＷｅｂサーバ０４０３とはイントラネット回線などで接続している。
【００５３】
ここで、管理制御サーバシステム０２０５へのサマリ・広告コンテンツの登録、及びジャンル定義、サマリ配信サーバシステムの場所・機器構成の登録、コンテンツ提供者のコンテンツ提供条件、などをイントラＷｅｂサーバ０４０３が担うように図４で例示しているが、コンテンツ提供者が例えばインターネット回線などを介し、登録端末０４０７相当の自所有装置から管理制御サーバシステム０２０５へ登録するなども容易に考えられる。むしろこの場合の方がコンテンツ提供者にとって普通であり、便利であるかもしれない。この場合もイントラＷｅｂサーバ０４０３に相当するコンテンツ提供者向けのＷｅｂサーバを管理制御サーバシステム０２０５の一部として別に用意し、該Ｗｅｂサーバを例えばインターネット網上からアクセスできるようにネットワーク構成するなどで対応できる。
【００５４】
管理制御サーバシステム０２０５に登録された各情報（サマリ・広告コンテンツ自体を含む）は、図４例示において、サマリ・広告コンテンツ管理サーバ０４０１で管理する。登録端末０４０７からイントラＷｅｂサーバ０４０３に例えばブラウザなどを用いてアクセスし、イントラＷｅｂサーバ０４０３の提供画面に従って、オペレータ或いはコンテンツ提供者は各種登録、登録情報の確認の為の読み出し、などをする。オペレータ或いはコンテンツ提供者のこの登録・読み出しは、サマリ・広告コンテンツ管理サーバ０４０１に対するものでありこれをイントラ処理部０４０８が行なう。
【００５５】
このようにサマリ・広告コンテンツ管理サーバ０４０１に登録されたコンテンツ或いは各種情報は、サマリコンテンツ提供者が希望するコンテンツ提供エリア（希望対象地域）やコンテンツ提供可能日（有効期間）などの条件に基づき、コンテンツの配信或いは表示に関するスケジュールを管理制御アプリケーションサーバ０４０２が生成するのに用いる。
【００５６】
スケジュールの生成は、各所に散在するサマリ配信サーバシステムそれぞれに対し生成し、図４例示において、サマリコンテンツの配信に関するスケジュールはサマリ配信スケジューラ０４１０部が、広告コンテンツの配信に関するスケジュールは広告配信スケジューラ０４０９部が、それぞれ生成する。
【００５７】
更に、生成されたスケジュールも全てサマリ・広告コンテンツ管理サーバ０４０１に格納され、読み出しも０４０１から読み出される。すなわち、サマリ配信スケジューラ０４１０は、イントラ処理部０４０８を介してサマリ・広告コンテンツ管理サーバ０４０１に登録された情報（サマリコンテンツ含む）を基に、サマリコンテンツの配信に関するスケジュールをサマリ配信サーバシステム毎に定期的に生成し、生成したスケジュールを０４０１に格納する。
【００５８】
また広告配信スケジューラ０４０９も同様、イントラ処理部０４０８を介して０４０１に登録された情報（広告コンテンツ含む）を基に、広告コンテンツの表示に関するスケジュールをサマリ配信サーバシステム毎に定期的に生成し、生成したスケジュールを０４０１に格納する。定期的なスケジュールの生成とは、例えば１日毎、１時間毎、半日毎、である。
【００５９】
広告配信スケジューラ０４０９或いはサマリ配信スケジューラ０４１０が生成しサマリ・広告コンテンツ管理サーバ０４０１に格納するスケジュール各々は、図４例示において、収集処理部０４１１からの指示があると再スケジュールする。サマリ配信スケジューラ０４１０に、或いは広告配信スケジューラ０４０９に、或いはそれらの双方に対し、収集処理部０４１１から再スケジュールの指示があると、広告配信スケジューラ０４０９或いはサマリ配信スケジューラ０４１０のスケジューラ部それぞれは、そのときサマリ・広告コンテンツ管理サーバ０４０１に格納していた自スケジューラ部が生成していたスケジュールを読み出して、再スケジュールしたのち再度サマリ・広告コンテンツ管理サーバ０４０１に格納する。
【００６０】
こういったルーチンワーク的な再スケジュール処理は、例えば次のような関係で処理する。例えば、毎日、次の日の予定スケジュールを生成し、生成した予定スケジュールは、当日になって毎時間、再スケジュールする、などに相当する。勿論、時間間隔をより短くすることも長くすることも、予定スケジュールの生成タイミングを短くすることも長くすることも、予定スケジュールを一度に複数分を生成する（複数分とは、先例の場合、明後日分、明々後日分などを翌日分と合わせて一度に複数生成することを指す）ことなどであっても良い。
【００６１】
すなわち、ここで留意するべきは、図４例示において、収集処理部０４１１からの指示に従い、広告配信スケジューラ０４０９及びサマリ配信スケジューラ０４１０のそれぞれのスケジューラ部が、一度生成したスケジュールの再スケジュールを行って、再生成した再スケジュールは再びサマリ・広告コンテンツ管理サーバ０４０１に格納していることである。
【００６２】
収集処理部０４１１による広告配信スケジューラ０４０９、サマリ配信スケジューラ０４１０への再スケジュール指示は、次のように発生する。詳細コンテンツ配信サーバ０２０３から定期的に収集する情報（アクセス情報）を収集処理部０４１１がサマリ・広告コンテンツ管理サーバ０４０１に格納する。このアクセス情報は、複数存在し得る詳細コンテンツ配信サーバシステムそれぞれから収集する。格納したアクセス情報は同じく収集処理部０４１１が読み出し、詳細コンテンツ配信サーバシステムで提供する詳細コンテンツの例えば人気度合いなどを収集処理部０４１１が算出する。
【００６３】
この詳細コンテンツ配信サーバシステムから収集するアクセス情報とは先述の通り、サマリコンテンツを受取ったユーザが、そのサマリコンテンツからの誘導として詳細コンテンツ配信サーバシステムに実際にアクセスした事実の件数を、詳細コンテンツ配信サーバシステムが任意時間間隔の間、集計したデータである。この集計処理で詳細コンテンツ配信サーバシステムは、端末０２１５がアクセスした際において、サマリコンテンツの受信に関わる情報を端末０２１５から提供して貰う。
【００６４】
例えば、サマリコンテンツを入手した場所情報、時間情報などといった情報を、自システム０２０３にアクセスしてきた端末０２１５から提供して貰っても良い。またこのとき、ユーザの属性情報なども詳細コンテンツ配信サーバシステムに提供して貰うのであれば尚良い。
【００６５】
これは、端末０２１５を有するユーザを会員制などとし、例えば、会員ＩＤなどを発行し、予めユーザの属性情報（例えば家族構成、性別、年齢層などといった属性情報）を登録しておき、サマリ配信サーバシステム０２０２、詳細コンテンツ配信サーバシステム０２０３への端末０２１５のアクセス時に該ＩＤを求め、アクセス情報として該ＩＤ情報も収集するなどで実現できる。このように、アクセスした件数（事実）を基本に、そのほか場所情報、時間情報、会員ＩＤ（アクセスしてきたユーザの属性情報）などといった情報を、定期的に、全詳細コンテンツ配信サーバシステムから収集し、これら情報を収集処理部０４１１がサマリ・広告コンテンツ管理サーバ０４０１に格納する。
【００６６】
また、収集したアクセス情報を基に収集処理部０４１１が例えば人気度などを算出するとは、次のような処理を意味する。詳細コンテンツ配信サーバシステムが自システムのアクセス情報を集計する任意時間間隔と、アクセス情報を全ての詳細コンテンツ配信サーバシステムから収集する定期間隔とが同じタイミングないしは同一時間間隔であるとして、その時間間隔内に最もアクセスが集中したコンテンツがどれであるか、などといった人気度を算出するなどのことを意味する。
【００６７】
勿論、会員ＩＤ(会員ＩＤ情報から紐つくユーザの属性情報)情報や場所情報（サマリコンテンツの入手場所）、時間情報（サマリコンテンツの入手時間）、などいった情報を収集することで、単なるアクセス件数から算出できる人気ランキングだけでなく、様々なユーザの志向分析処理もこの処理に相応する。例えば、アクセスしてきたユーザの性別や、年齢層、サマリコンテンツを取得している人気場所などの算出も併せて容易に算出でき得る。例えば、コンテンツの内容をジャンルといったカテゴリで区分し人気ジャンルを算出し、同類ジャンルの別コンテンツの人気度も上げるなども容易に処理できる。但し、ユーザ志向のこういった分析処理方法やノウハウなどは本実施例の本質ではなく、図４例示で注意するべくは、収集処理部０４１１がこのような算出処理を行って、その結果をサマリ配信スケジューラ０４１０、広告配信スケジューラ０４０９に指示する、ということである。
【００６８】
この収集処理部０４１１の指示を受け、図４例示のスケジューラ（広告配信スケジューラ０４０９・サマリ配信スケジューラ０４１０）は、自処理部で生成したスケジュールをサマリ・広告コンテンツ管理サーバ０４０１から読み出し、例えば人気度の高いコンテンツの配信もしくは表示スケジュールとなるよう前スケジュールを修正変更（再生成）し、或いは例えば人気度の高いコンテンツと同類ジャンルの他広告コンテンツの表示スケジュールとなるよう前スケジュールを修正変更（再生成）し、修正変更したスケジュール（再スケジュール）を同じくサマリ・広告コンテンツ管理サーバ０４０１に再格納する。
【００６９】
図４例示でサマリ配信サーバシステム０２０２は、自システム宛ての最新のスケジュールを管理制御サーバシステム０２０５から提供して貰い、その最新のスケジュールに従い、サマリコンテンツを自システムにアクセスしてきた端末０２１５に配信したり、自システムに接続する広告表示装置０２１２に広告コンテンツを表示したりする。特に、図４例示では、サマリ配信アプリケーションサーバ０４１３がこれを担う。
【００７０】
サマリコンテンツに関しサマリ配信アプリケーションサーバ０４１３は、図４例示で、サマリコンテンツに関する配信スケジュールの提供用に管理制御サーバシステム０２０５が用意したサマリ用Ｗｅｂサーバ０４０５に定期的にアクセスし、自システム向けのサマリコンテンツに関するスケジュールを入手する。なお、スケジュールだけでなく該スケジュールに記述するサマリコンテンツ自体も入手する。このスケジュール記述のサマリコンテンツとは、例えばファイル名などである。ここでファイル名であるとして、取得したスケジュールに該ファイル名の記述があり、そのファイル名に相当するファイルもスケジュールと併せサマリ用Ｗｅｂサーバ０４０５からサマリ配信処理部０４１６が入手する。このファイル自体も前述の通り、図４例示で管理制御サーバシステム０２０５ではサマリ・広告コンテンツ配信サーバ０４０１に格納している。
【００７１】
自システム向けのサマリコンテンツに関するこれらスケジュール・コンテンツの入手は、サマリ配信アプリケーションサーバ０４１３のうち、特に、サマリ配信処理部０４１６が担う。先述の通り、管理制御サーバシステム０２０５では、サマリ配信スケジューラ０４１０及び収集処理部０４１１とで最新のスケジュールがサマリ・広告コンテンツ管理サーバ０４０１に格納されている。これをサマリ配信処理部０４１６が、サマリ用Ｗｅｂサーバ０４０５に定期的にアクセスし、該サマリ用Ｗｅｂサーバ０４０５を介して自システム向けのスケジュール及びサマリコンテンツ自体を取得する。
【００７２】
このサマリ用Ｗｅｂサーバ０４０５へのアクセスの際、サマリ配信サーバシステム０２０２は、自システムにアクセスしてきた端末０２１５のアクセス情報を提供しても良い。勿論、サマリコンテンツに関するスケジュール及びコンテンツの入手タイミングとは別のタイミングでサマリ配信サーバシステム０２０２が管理制御サーバシステム０２０５に提供しても良い。このサマリ配信サーバシステムによるアクセス情報の提供もまた、自システムに接続の構成にアクセスポイント０１０６といったアクセスポイントが存在する場合は、詳細コンテンツ配信サーバシステムに同様、端末０２１５のアクセス情報を任意時間間隔の間、集計しても良い。
【００７３】
集計した情報は、詳細コンテンツ配信サーバシステム０２０３同様、管理制御サーバシステム０２０５に提供する。この提供もまた、詳細コンテンツ配信サーバシステム０２０３に同様、各所に存在する全サマリ配信サーバシステム０２０２から定期的に収集する。収集は、図４例示で、サマリ配信処理部０４１６が、サマリ用Ｗｅｂサーバ０４０５に定期的にアクセスすることで提供できる。任意時間間隔でサマリ配信サーバシステム０２０２が集計したこのアクセス情報をサマリ配信処理部０４１６がサマリ用Ｗｅｂサーバ０４０５にアクセスし管理制御サーバシステム０２０５に提供する。同図で管理制御サーバシステム０２０５では、サマリ用Ｗｅｂサーバ０４０５にて提供されたアクセス情報を、サマリ配信スケジューラ０４１０を介しサマリ・広告コンテンツ管理サーバ０４０１に格納する。格納したサマリ配信サーバシステム０２０２が集計のアクセス情報は、収集処理部０４１１にて読み出され、前述の例えば人気度の算出などの処理で使用する。
【００７４】
こうすることで、例えば、単純な人気度の算出処理であっても、詳細コンテンツ配信サーバシステムにアクセスした件数のみで算出するも一方法であるが、サマリコンテンツを配信した件数に対する実際の詳細コンテンツへのアクセスという角度で人気度を算出することも収集処理部０４１１で可能となる。これは、サマリの提供総数に対する誘導実件数などといった評価尺度の算出に相応する。
【００７５】
ここで注意するべきことは、サマリ配信サーバシステム０２０２への端末０２１５のアクセス情報も管理制御サーバシステム０２０５で収集することが可能である、ということである。つまり、サマリ配信サーバシステム０２０２への端末アクセス情報も、詳細コンテンツ配信サーバシステム０２０３への端末アクセス情報も、どちらも管理制御サーバシステム０２０５で収集し、最新のスケジュール生成処理にこれら情報を用い管理制御サーバシステム０２０５が再スケジュールする、ということである。この再スケジュール（最新スケジュール）を管理制御サーバシステム０２０５がサマリ配信サーバシステム０２０２に展開し、その最新スケジュールに則り、サマリ配信サーバシステム０２０２がサマリコンテンツを提供したり、広告表示装置に広告コンテンツを表示する（ないしは表示切替する）、ことに留意するべきである。
【００７６】
サマリ配信処理部０４１６が自システム向けに取得したサマリコンテンツに関するスケジュール・コンテンツは、図４例示のサマリ配信サーバシステム０２０２においてエリア提供コンテンツ管理サーバ０４１２に格納する。格納したサマリコンテンツに関するスケジュール及びコンテンツは、同じくサマリ処理部０４１６が読み出し、読み出したスケジュールに則ったサマリコンテンツを端末０２１５に提供する。サマリ配信サーバシステム０２０２に接続する構成にアクセスポイント０１０６が１つ以上存在する場合、端末０２１５への提供は、図４例示でアクセスポイント０１０６を介し端末０２１５が端末用サマリＷｅｂサーバ０４１４へアクセスすることで端末に提供する。端末用サマリＷｅｂサーバ０４１４にアクセスがあると、端末用サマリＷｅｂサーバ０４１４はサマリ配信アプリケーションサーバ０４１３のうちサマリ配信処理部０４１６に指示し、サマリ配信処理部０４１６がエリアコンテンツ管理サーバ０４１２内に格納するサマリコンテンツに関する最新スケジュールを読み出し、該スケジュールに併せて記述のサマリコンテンツを順次読み出す。サマリ配信処理部０４１６が読み出したサマリコンテンツは、端末用サマリＷｅｂサーバ０４１４を介し端末０２１５に提供する。
【００７７】
一方、広告コンテンツに関しても、図４例示においてサマリコンテンツに同様、サマリ配信アプリケーションサーバ０４１３が広告用Ｗｅｂサーバ０４０４に定期的にアクセスし、自システム向けの広告コンテンツに関するスケジュールを入手する。併せて、該スケジュールに記述する広告コンテンツ自体も入手する。図４例示で広告用Ｗｅｂサーバ０４０４は、広告コンテンツに関する配信スケジュール及びコンテンツの提供用に管理制御サーバシステム０２０５がサマリ配信サーバシステム０２０２向けに用意したものである。
【００７８】
広告コンテンツと広告コンテンツの表示に関するスケジュールとの関係についても、サマリコンテンツに同様、例えばファイル名の記述などである。広告コンテンツに関するこれらスケジュール・コンテンツの入手は、サマリ配信アプリケーションサーバ０４１３のうち、特に、広告配信処理部０４１５が担う。広告配信処理部０４１５が、広告用Ｗｅｂサーバ０４０４に定期的にアクセスし、該０４０４を介して自システム向けのスケジュール及び広告コンテンツ自体を取得する。
【００７９】
ここで、サマリ配信アプリケーションサーバ０４１３から管理制御サーバシステム０２０５への定期的アクセスにおいて、２種類が存在することになる。１つはサマリ配信処理部０４１６によるサマリ用Ｗｅｂサーバ０４０５への定期的アクセスであり、もう１つは広告配信処理部０４１５による広告用Ｗｅｂサーバ０４０４への定期的アクセスである。前者は大きく２つの意味でアクセスが行なわれる。１つはサマリコンテンツに関する配信スケジュール・コンテンツの取得。もう１つは端末アクセス情報の管理制御サーバシステム０２０５への提供である。端末アクセス情報の管理制御サーバシステム０２０５への提供は、本実施例において伴なう場合と伴なわない場合とがある。すなわち、サマリ配信サーバシステム０２０２が集計のアクセス情報を、管理制御サーバシステム０２０５が前述説明の再スケジュール処理に素情報として必要とする場合は管理制御サーバシステム０２０５が収集するし、素情報として必要としない場合はこれを収集しない。勿論、素情報として必要としない場合、サマリ配信サーバシステム０２０２自体がアクセス情報を集計しないなどでも良い。一方、サマリコンテンツに関する配信スケジュール・コンテンツの取得目的による定期的アクセスは本実施例において必ず伴ない、広告コンテンツに関しても表示スケジュール・コンテンツの取得目的による定期的アクセスは本実施例において必ず伴なう。これらサマリコンテンツと広告コンテンツに係る２つの必要な定期的アクセスは、例えば同じタイミング、同じ時間間隔で行なわれる。勿論、それぞれ別のタイミング、異なる時間間隔であっても良い。
【００８０】
このように、図４例示では、管理制御サーバシステム０２０５は、サマリ配信サーバシステム０２０２に対しサマリ用と広告用との２つに分けて情報（スケジュールとコンテンツ自体）を提供している。すなわち、サマリ配信サーバシステム０２０２がサマリ用Ｗｅｂサーバ０４０５及び広告用Ｗｅｂサーバ０４０４それぞれに定期的にアクセスし、自システム０２０２向けのスケジュール及びコンテンツそのものを分けて取得する様子を図４では例示している。勿論、別の方法として、サマリ配信サーバシステム０２０２の定期アクセスが、サマリ用と広告用のＷｅｂサーバ０４０４、０４０５に対し連続的にアクセスする、或いは、サマリ用Ｗｅｂサーバ０４０５と広告用Ｗｅｂサーバ０４０４とを分けずに、例えば同一ＵＲＬとした１つのＷｅｂサーバとし、サマリコンテンツ及びそのスケジュール、広告コンテンツ及びそのスケジュール、といった４種類の情報をサマリ配信サーバシステム０２０２の一度のアクセスで提供するようにしても良い。
【００８１】
サマリ配信アプリケーションサーバ０４１３が（０４１３のうち特に広告配信処理部０４１５が）自システム向けに取得した広告コンテンツに関するスケジュール・コンテンツは、図４例示のサマリ配信サーバシステム０２０２においてエリア提供コンテンツ管理サーバ０４１２に格納する。格納した広告コンテンツに関するスケジュール及びコンテンツは、同じく広告配信処理部０４１５が読み出し、読み出したスケジュールに則った広告コンテンツを広告表示装置０２１２に出力する。つまり、広告コンテンツに関する最新のスケジュールを取得し０４１２に格納した時点で、該取得した最新スケジュールに従った広告コンテンツを広告表示装置０２１２に表示することになる。このため、広告表示装置０２１２装置を見ていたユーザ（図３例示の０３０７ユーザなど）からすれば、広告表示内容が切り替わることに相応する。
【００８２】
サマリ配信サーバシステム０２０２に接続の構成に、アクセスポイントが無い場合、或いは広告表示装置が無い場合などのサマリ配信サーバシステム０２０２であっても、ここまで説明してきたようなサマリコンテンツ、広告コンテンツに関するスケジュールが存在しても良い。この場合、管理制御サーバシステム０２０５で生成するスケジュール（各サマリ配信サーバシステム０２０２毎に生成するスケジュール）に記述のコンテンツが存在しない、などであったりする。この場合、サマリ配信サーバシステム０２０２は、自システム向けに生成されたスケジュールを取得し、取得したスケジュールにコンテンツ記述がない為、コンテンツ自体を取得せず、スケジュールのみを取得し図４例示でエリア提供コンテンツ管理サーバ０４１２にスケジュールのみを格納することになる。勿論、他の方法であっても良く、例えば、図４例示でサマリ配信サーバシステム０２０２が自システムに接続の構成を管理しておき、例えば広告表示装置の接続が無い場合には、同図の広告配信処理部０４１５を起動させないようにしても同様となる。このように、アクセスポイントの接続が無い、或いは広告表示装置の接続が無いなどの場合であっても、サマリ配信サーバシステム０２０２自身は、別々の機能や構成で且つ別々の作用となる訳ではなく、図４例示のような構成及び作用であって良い。
【００８３】
サマリコンテンツを取得しユーザが詳細コンテンツへのアクセスする場合、端末０２１５は、図４例示において、詳細コンテンツ配信サーバシステム０２０３に用意するコンテンツ提供用Ｗｅｂサーバ０４１９にアクセスする。このコンテンツ提供用Ｗｅｂサーバ０４１９を介してユーザに提供される（詳細）コンテンツは、サマリ配信サーバシステム０２０２から取得したサマリコンテンツで簡略的に紹介されるものである。サマリコンテンツと詳細コンテンツとのこの関係は、サマリとして例えばＡＢＣ和服ブランドメーカの新作春服商品発表とあったとすれば、詳細コンテンツには、例えば該ブランドメーカの発表する新作春服商品が一品づつ紹介されていたり、例えば取扱販売店名や販売価格、在庫状況、サイズ取揃え状況などが紹介されているなどである。
【００８４】
端末０２１５によるこのコンテンツ提供用Ｗｅｂサーバ０４１９へのアクセスでは、サマリコンテンツを端末０２１５が取得した際の情報（以下、取得関連情報と呼ぶ）を端末０２１５が詳細コンテンツ配信サーバ０２０３へ提供する。この提供も、コンテンツ提供用Ｗｅｂサーバ０４１９を介し端末０２１５が提供する。提供された取得関連情報は、図４例示でアプリケーションサーバ０４１８が詳細コンテンツ管理サーバ０４１７に格納する。図４例示で、詳細コンテンツ管理サーバ０４１７には、サマリコンテンツ提供者が用意する詳細コンテンツも格納している。詳細コンテンツの詳細コンテンツ管理サーバ０４１７への登録はコンテンツ提供者などが予め詳細コンテンツ管理サーバ０４１７に登録しておき、サマリコンテンツ提供者が用意したその詳細コンテンツは、同例図４で、端末０２１５からコンテンツ提供用Ｗｅｂサーバ０４１９へのこのアクセスを以って、アプリケーションサーバ０４１８が詳細コンテンツ管理サーバ０４１７から読み出しコンテンツ提供用Ｗｅｂサーバ０４１９を介し端末に提供する。
【００８５】
端末０２１５からコンテンツ提供用Ｗｅｂサーバ０４１９へのアクセスにおいて詳細コンテンツ管理サーバ０４１７に先説明で格納した取得関連情報は、インターネット網上に各所に複数存在し得る詳細コンテンツ配信サーバシステム０２０３全てから管理制御サーバシステム０２０５が定期的に収集する前述のアクセス情報として（アクセス情報の一構成要素として）収集する。このことに関し、図４例示では、アプリケーションサーバ０４１８が詳細コンテンツ管理サーバ０４１７から読み出し、アプリケーションサーバ０４１８が管理制御サーバシステム０２０５に用意する収集用Ｗｅｂサーバ０４０６に対し定期的にアクセスすることで、このアクセス情報（取得関連情報含む）を管理制御サーバシステム０２０５に提供する。勿論、取得関連情報も、前述のアクセス情報の通り、図４例示で、詳細コンテンツ配信サーバシステム０２０３内で一定時間の間集計され、集計された取得関連情報を管理制御サーバシステム０２０５に収集する。詳細コンテンツ配信サーバシステム０２０３内で集計する一定時間の間隔と、収集用Ｗｅｂサーバ０４０６に定期的にアクセスする間隔とは例えば同一間隔などであったりする。
【００８６】
ここで、これまで説明してきたアクセス情報及び取得関連情報について整理をする。アクセス情報には２種説明したが、何れも管理制御サーバシステム０２０５が定期的に収集する。１つはサマリ配信サーバシステム０２０２で任意時間間隔で集計するアクセス情報、もう１つは詳細コンテンツ配信サーバシステム０２０３で任意時間間隔で集計するアクセス情報である。本実施例において、どちらのアクセス情報も管理制御サーバシステム０２０５で再スケジュール生成するに管理制御サーバシステム０２０５がこれらアクセス情報を用いる。
【００８７】
この再スケジュールの生成処理に関し、詳細コンテンツ配信サーバシステムから収集するアクセス情報のみを用いる場合と、サマリ配信サーバシステム０２０２から収集するアクセス情報及び詳細コンテンツ配信サーバシステムから収集するアクセス情報の双方を用いる場合とがある。つまり、前者の再スケジュール生成処理では、詳細コンテンツにアクセスした実件数相当を評価尺度の基本とし、例えば人気コンテンツ、人気ジャンルなどといった算出を行ない、再スケジュールを生成する。後者の再スケジュール生成処理では、サマリコンテンツの提供総数に対する誘導実件数相当を評価尺度の基本とし、例えば人気コンテンツ、人気ジャンルなどといった算出を行ない、再スケジュールを生成する。勿論、この再スケジュールの生成処理に関し、アクセス件数だけを評価尺度とするのではなく（あくまでアクセス件数での評価を基本としているだけであり）、そのほかサマリコンテンツの取得場所情報、取得時間情報、ユーザ属性情報（会員制とすることで年齢層や性別、家族構成などといった情報）などといった情報をアクセス件数に併せ評価尺度とすることもできる。評価尺度で使用するこれら情報、すなわち、アクセス件数、及びアクセス件数に付帯し得る場所情報、取得時間情報、ユーザ属性情報などを総しアクセス情報としている。
【００８８】
また、詳細コンテンツ配信サーバシステム０２０３への端末アクセス時に、端末０２１５が詳細コンテンツ配信サーバシステム０２０３に提供する取得関連情報とは、本実施例を説明する上のもので、詳細コンテンツ配信サーバシステム０２０３が任意時間の間集計するアクセス情報の素（一構成）になる情報を指す。この詳細コンテンツ配信サーバシステム０２０３が任意時間の間集計するアクセス情報は、大きく２つの情報要素に区分けできる。１つは詳細コンテンツ配信サーバシステム０２０３が生成する（付与する）情報要素、もう１つは端末０２１５から取得した情報要素である。前者情報要素としては例えばアクセス件数、詳細コンテンツ配信サーバ０２０３へのアクセス時間情報、詳細コンテンツ配信サーバ０２０３における滞在時間情報などが挙げられ、後者情報要素としては、例えば、サマリコンテンツの取得場所情報（そのアクセスユーザはどのサマリ配信サーバシステム０２０２から取得したのか）、サマリコンテンツの取得時間情報（いつ取得したサマリコンテンツであるか）など、更に端末所持ユーザを会員制とすれば会員ＩＤ（例えば年齢層や性別、家族構成などといったユーザ属性情報に関連付けするためのＩＤ）なども挙げられる。取得関連情報とは、この後者の情報要素に相応する情報を指す。
【００８９】
勿論、後者の情報要素は不要としても良い。但し、この場合、詳細コンテンツ配信サーバシステム０２０３が集計するアクセス情報の情報要素は例えばアクセス件数及び（詳細コンテンツ配信サーバ０２０３への）アクセス時間情報、（詳細コンテンツ配信サーバ０２０３における）滞在時間情報などに限られ、（これを管理制御サーバシステム０２０５で収集し、管理制御サーバシステム０２０５における再スケジュール生成処理において）、この限られた情報要素を用い例えば人気コンテンツ・人気ジャンルなどといった算出処理を行なうことになる。アクセス情報の情報要素として、端末から取得の情報要素（後者の情報要素であり取得関連情報）を更に加えることで、人気コンテンツ・人気ジャンルなどといった算出処理のバリエーションが増し、再スケジュールによる広告切替の効果も期待できる。
【００９０】
算出処理のバリエーションが増し広告切替の効果が期待できるとは、例えば、サマリコンテンツの取得場所情報をアクセス件数に付帯し集計・収集することで、各所散在のサマリ配信サーバシステム０２０２のうち、ユーザがサマリコンテンツの取得で良く利用する人気場所（人気のサマリ配信サーバシステム設置箇所）について算出することができ、更にサマリ配信サーバシステム０２０２から集計・収集するアクセス情報を算出処理に同じく加えると、任意サマリ配信サーバシステム０２０２が提供のサマリコンテンツ提供総数に対する誘導実件数相当で該人気場所を算出することもでき、これら算出結果が人気場所の広告表示装置の広告切替（再スケジュールの生成）に反映されるため、例えば場所毎（サマリ配信サーバシステム毎）に異なり得るユーザニーズに応えた広告切替が実現できる。これはコンテンツ提供者やコンテンツ配信運用者からすれば、より地域に適したユーザの志向動向の把握や分析を意味し、広告提供の促進に繋がり得る。
【００９１】
次に、図５、図６、図７、図８を説明する。これら４つの図はいずれも、図４例示のサマリ・広告コンテンツ管理サーバ０４０１内にある情報及びコンテンツ自体の格納の様を例示したものである。管理制御サーバシステム０２０５で管理する情報のうち、基本情報（サマリコンテンツや広告コンテンツの配信に関連した情報）に相当する情報テーブル（情報群）の例を図５に、特に、サマリコンテンツや広告コンテンツに関連した情報テーブル（情報群）の例及びそのコンテンツ自体の格納の様を図６に、特に、サマリ配信サーバシステム０２０２で配信するコンテンツに関わる配信スケジュール並びに広告コンテンツの表示スケジュールに相当する情報テーブル（情報群）を図７に、特に、管理制御サーバシステム０２０５で定期的に収集するアクセス情報を元に管理制御サーバシステム０２０５が生成する収集（集計情報）テーブル（情報群）を図８に、それぞれ示したものである。
【００９２】
図５（ａ）には、ユーザ管理テーブル０５Ａ１として、ユーザＩＤ（会員ＩＤ）及び性別、年齢層、家族構成、住所といったユーザ属性情報などを管理する様を例示している。このユーザ管理テーブル０５Ａ１は、端末所持ユーザを会員制とした場合に管理制御サーバシステム０２０５が管理するテーブルであり、会員制としない場合はテーブル０５Ａ１自体が存在しなかったりする。勿論、会員制でなくとも良いが、会員制としユーザの様々な属性情報を登録・管理することで、詳細コンテンツ配信サーバシステム０２０３にアクセスしたユーザの属性情報と例えば人気コンテンツとの関連性を統計的に算出し、詳細コンテンツで掲げる特定の具体商品などについてのユーザニーズやユーザの志向動向を分析・把握することが可能である。ユーザ属性情報は、０５Ａ１に例示のほか、様々な情報が挙げられるがここでは割愛する。勿論、ユーザ属性情報を全く管理しなくとも良い。この場合、ユーザＩＤのみの管理であったりする。ユーザ管理テーブル０５Ａ１にて、ユーザＩＤは管理制御サーバシステム０２０５が生成する情報であり、ユーザないしは端末に対し割り当てるＩＤ情報である。
【００９３】
図５（ｂ）のＡＰ管理テーブル０５Ａ２は、サマリ配信サーバシステム０２０２の設置箇所及びそのシステムに接続するアクセスポイント・広告表示装置の構成を管理する様を例示している。ＡＰ管理テーブル０５Ａ２では、ＺＯＮＥ１００１１などといった場所ＩＤを付与し管理している。この場所ＩＤも管理制御サーバシステム０２０５が生成し、１つの場所ＩＤは、１つのサマリ配信サーバシステム０２０２に対応し、そのサマリ配信サーバシステム０２０２に接続の構成を管理している。例えば、ＡＰ管理テーブル０５Ａ２において、ＺＯＮＥ１００１１ではアクセスポイント、広告表示装置の双方が接続されていることを示す。また、ＺＯＮＥ１００１３ではアクセスポイントの接続がなく、広告表示装置のみが接続されていることを、逆にＺＯＮＥ２０１１１ではアクセスポイントのみ接続されていることを示す。勿論、１つのサマリ配信サーバシステム０２０２に複数の広告表示装置が接続されても良く、この場合、例えばそれぞれ別の場所ＩＤを割り当て、１つのサマリ配信サーバシステム０２０２に複数の場所ＩＤを割り当て管理するなどで良い。サマリ配信サーバシステム０２０２は、自システムに割り当てられたこの場所ＩＤを管理するようにし、管理制御サーバシステム０２０５は場所ＩＤ毎にスケジュールを生成或いは再生成する。その上で、サマリ配信サーバシステム０２０２は、自システム宛て、すなわち自システムに割り当てられた場所ＩＤ宛て、のスケジュールを管理制御サーバシステム０２０５から取得するようにする。こうすることで、１つのサマリ配信サーバシステム０２０２に複数の広告表示装置を接続する場合であっても、サマリ配信サーバシステム０２０２は、広告表示装置１台毎に別々のスケジュールで広告の表示切替を実現できる。
【００９４】
このように、サマリ配信サーバシステム０２０２と管理制御サーバシステム０２０５との情報授受において、ここでは、ＡＰ管理テーブル０５Ａ２で生成・管理する場所ＩＤを元にデータのやり取りを行なうとしている。後述するスケジュールテーブル０５Ｃ１、収集テーブル０５Ｄ１においても、この場所ＩＤを元にそれぞれ０５Ａ１・０５Ｃ１・０５Ｄ１の３つの情報テーブルを関連付け、該３つの情報テーブルに記載の各種情報を管理制御サーバシステム０２０５が管理している。勿論、本実施例は、ここで説明している場所ＩＤではなく他の方法及びテーブル構成などで実現しても良く、場所ＩＤの代替として、例えば、装置ＩＤやインターネットアドレスなどであっても容易に同様の情報管理が実現でき、サマリ配信サーバシステム０２０２と管理制御サーバシステム０２０５との情報授受も同様に実現できる。
【００９５】
ＡＰ管理テーブル０５Ａ２の対象地域、ＡＰ場所情報、構成といった情報は、システム運用者ないしはそのオペレータが管理制御サーバシステム０２０５に登録する。また、サマリ配信サーバシステム０２０２への場所ＩＤの登録は、例えばそのシステム設置時に予め設定しておくなどであれば良く、サマリ配信サーバシステム０２０２へのその設定は図４例示でサマリ配信アプリケーションサーバ０４１３相当に設定する（図４例示で、エリア提供コンテンツ管理サーバ０４１２内に設定ファイルとして登録・管理するなどであっても良い）。
【００９６】
図５（ｃ）のジャンルテーブル０５Ａ３は、広告提供者が提供するサマリコンテンツや広告コンテンツを内容をジャンルいったカテゴリで区分し管理する様を例示している。区分ジャンルは、ジャンルテーブル０５Ａ３のサブジャンルといった具合のように階層化しても良い。ジャンルテーブル０５Ａ３では、ジャンル・サブジャンルの２階層としているが、勿論、階層化は何階層であっても良い。（ここで２階層を例に説明しているため、以降、後述の図７、図８それぞれ例示の情報テーブルにおいてもジャンル・サブジャンルの２階層構成とする）
ジャンルテーブル０５Ａ３でコンテンツＩＤとは、広告提供者の提供するサマリコンテンツに付与するＩＤを意味し、広告ＩＤとは広告提供者の提供する広告コンテンツに付与するＩＤを意味する。これら２つの付与ＩＤは、管理制御サーバシステム０２０５が割り当てるＩＤであり、コンテンツを識別・管理するために割り当てている。この割り当ては、広告提供者がコンテンツを提供する際に割り当てられる。
【００９７】
すなわち、図４例示において、システム運用者ないしはそのオペレータが登録端末０４０７、イントラＷｅｂサーバ０４０３、イントラ処理部０４０８を介しサマリ・広告コンテンツ管理サーバ０４０１にコンテンツを登録した際に割り当てられる。勿論、図４で前述の通り、広告提供者（コンテンツ提供者）が例えばインターネット回線などを介し、図４例示において、登録端末０４０７相当の自所有装置から管理制御サーバシステム０２０５へ登録するなども容易に考えられる。この場合も両ＩＤは、広告提供者がコンテンツを登録した際に割り当てられる。
【００９８】
広告提供者の提供するコンテンツは、広告表示装置で表示の広告コンテンツのみの提供、端末に提供するサマリコンテンツのみの提供（勿論、サマリコンテンツ提供の場合、詳細コンテンツとセットで広告提供者が準備する必要がある）、広告コンテンツ及びサマリコンテンツの両方の提供があり得る。ジャンルテーブル０５Ａ３では、この様を符号０５Ａ３１内に表している。同符号０５Ａ３１で、女性服・フォーマルというカテゴリにはサマリコンテンツのみが、子供服・フォーマルというカテゴリには広告コンテンツのみが、女性服・和服というカテゴリにはサマリ・広告コンテンツの両方が、広告提供者からそれぞれ提供されていることを意味する。また、同符号０５Ａ３１で、女性服・和服というカテゴリには２つのサマリコンテンツ及び２つの広告コンテンツが存在することを例示している。
【００９９】
女性服、和服などといったカテゴリの定義は、システム運用者ないしはそのオペレータが管理制御サーバシステム０２０５に予め定義を登録する。このカテゴリ定義は、図４例示において、登録端末０４０７、イントラＷｅｂサーバ０４０３、イントラ処理部０４０８を介しサマリ・広告コンテンツ管理サーバ０４０１に定義付けする。広告提供者からシステム運用者ないしはそのオペレータがコンテンツを受取ると（もしくは広告提供者が例えばインターネット回線などを介しコンテンツを提供する際）、そのコンテンツを先述の通り管理制御サーバシステム０２０５に登録する。この登録の際、そのコンテンツがどのジャンル（カテゴリ）に属するかを併せて設定することで、ジャンルテーブル０５Ａ３が生成・更新される。勿論、カテゴリ定義の追加・変更をシステム運用者ないしはそのオペレータが行なうことによってもジャンルテーブル０５Ａ３は更新する。
【０１００】
図６には、(a)コンテンツテーブル０５Ｂ１としてサマリコンテンツに関連する情報群を、(ｂ)広告テーブル０５Ｂ２として広告コンテンツに関連する情報群を、管理制御サーバシステム０２０５がそれぞれ管理する様を例示している。
【０１０１】
図６(a)のコンテンツテーブル０５Ｂ１例示情報のうち、ハッチングの無い情報項目は、端末に配信するサマリコンテンツを、システム運用者ないしはそのオペレータ、或いは広告提供者が管理制御サーバシステム０２０５に登録する際に併せて情報入力する。
【０１０２】
コンテンツテーブル０５Ｂ１でａｂｃｄ．ａｂｃといった記載のある情報項目は、サマリコンテンツ自体を指し、例えばサマリコンテンツのファイル名である。この情報項目に記載のコンテンツ自体は、図６（ｃ）において、管理制御サーバシステム０２０５が格納する様として０５Ｂ３に模図している。ここで管理制御サーバシステム０２０５が格納するとは、図４例示において、サマリ・広告コンテンツ管理サーバ０４０１での格納に相応する。
【０１０３】
符号０５Ｂ１１に示す詳細コンテンツとは、詳細コンテンツ配信サーバ０２０３で提供する詳細コンテンツの情報であり、例えばＵＲＬ値である。すなわち、サマリコンテンツと詳細コンテンツの対応をこのコンテンツテーブル０５Ｂ１によって管理制御サーバシステム０２０５が管理している様を例示している。
【０１０４】
コンテンツテーブル０５Ｂ１の有効期間は、サマリコンテンツの配信希望期間であり、広告提供者の提供条件にあたる。勿論、有効期間が無くとも良く、この場合は同テーブルにおいて該情報列が無い。同様、希望対象地域も、サマリコンテンツの配信希望地域であり、広告提供者の提供条件にあたる。勿論この情報項目も無くとも良い。
【０１０５】
符号０５Ｂ１２に示す情報項目は、サマリコンテンツの提供に加え、広告コンテンツの提供も併せて存在するかを示す情報である。存在する場合、コンテンツテーブル０５Ｂ１で、サマリコンテンツに対応する広告コンテンツのＩＤを対応付けし管理する。コンテンツテーブル０５Ｂ１例示で、ＣＴ１３００８というサマリコンテンツがＤＣＴ０８−０２という広告コンテンツに対応付けする様を例示している。つまり、図５（ｃ）のジャンルテーブル０５Ａ３を併せて参照すれば、管理制御サーバシステム０２０５には、女性和服に関する例えば新商品の発売告知文章などといったサマリコンテンツが登録・提供されてあって、更にその女性和服の例えば販促ＣＭなどといった広告コンテンツの登録・提供が併せて存在することを意味している。
【０１０６】
このほか、コンテンツテーブル０５Ｂ１では、広告提供者希望のさまざまなコンテンツ提供条件（情報項目）を管理する。この様をコンテンツテーブル０５Ｂ１では符号０５Ｂ１３に示している。例えば、会員制とし会員のユーザ属性情報などを図５(a)例示のユーザ管理テーブル０５Ａ１のように管理する場合、家族と同居しているユーザに対してのみサマリコンテンツを提供する、女性ユーザに対してのみサマリコンテンツを提供する、などといったさまざまな希望条件も考えられる。  コンテンツテーブル０５Ｂ１例示のこれらハッチングの無い情報項目は、言い換えると、登録したサマリコンテンツに関する広告提供者の提供条件に相応し、広告提供者が登録する情報項目であることを意味する。或いは、広告提供者の意思を受けたシステム運用者ないしはそのオペレータが登録する情報項目に相応する。これらハッチングの無い情報項目及びコンテンツ自体を管理制御サーバシステム０２０５に登録することで、サマリコンテンツを識別するコンテンツＩＤを管理制御サーバシステム０２０５が付与する。このとき、管理制御サーバシステム０２０５は、登録認識したコンテンツの例えばボリューム（容量）などといった付帯的な情報についてもＩＤ付与と同時に同テーブル０５Ｂ１にて併せて管理する。
【０１０７】
更に、ＩＤを付与すると管理制御サーバシステム０２０５は、システム運用者ないしはそのオペレータ、或いは広告提供者に対し、前述の通り、該ＩＤのコンテンツが属するジャンル情報を続いて選択（登録）する。結果、図５（ｃ）例示のジャンルテーブル０５Ａ３が更新する。
【０１０８】
図６(a)のサマリコンテンツテーブル０５Ｂ１に同様、図６(ｂ)の広告コンテンツテーブル０５Ｂ２で、ｆｒｔ１１．ｔｙｒといった記載のある情報項目は、広告コンテンツ自体を指し、例えば広告コンテンツのファイル名である。この情報項目に記載のコンテンツ自体も、図６（ｃ）において、管理制御サーバシステム０２０５が格納する様として０５Ｂ３に模図している。管理制御サーバシステム０２０５の格納とは、図４例示において、サマリコンテンツの場合に同じく、サマリ・広告コンテンツ管理サーバ０４０１での格納に相応する。
【０１０９】
広告テーブル０５Ｂ２の情報項目のうち、有効期間や希望対象地域は、サマリコンテンツテーブル０５Ｂ１に同じで広告コンテンツ提供者の希望する提供条件を指している。このほか、広告テーブル０５Ｂ２においても、サマリコンテンツテーブル０５Ｂ１に同様、広告提供者希望のさまざまなコンテンツ提供条件（情報項目）を管理する。この様を符号０５Ｂ２１に示している。例えば、広告表示装置に表示の画像画質などといった条件も考えられる。
【０１１０】
広告テーブル０５Ｂ２例示のこれらハッチングの無い情報項目も、サマリコンテンツテーブル０５Ｂ１に同様、言い換えると、登録した広告コンテンツに関する広告提供者の提供条件に相応し、広告提供者が登録する情報項目であることを指す。或いは、広告提供者の意思を受けたシステム運用者ないしはそのオペレータが登録する情報項目に相応する。これらハッチングの無い情報項目及び広告コンテンツ自体を管理制御サーバシステム０２０５に登録することで、広告コンテンツを識別する広告ＩＤを管理制御サーバシステム０２０５が付与する。このとき、管理制御サーバシステム０２０５は、登録認識した広告コンテンツの例えばボリューム（容量或いは再生時間）などといった付帯的な情報についてもＩＤ付与と同時に広告テーブル０５Ｂ２にて併せて管理する。
【０１１１】
サマリコンテンツテーブル０５Ｂ１に同様、更に、広告コンテンツの登録の場合においても広告ＩＤ付与に続いて管理制御サーバシステム０２０５は、システム運用者ないしはそのオペレータ、或いは広告提供者に対し、前述の通り、該広告ＩＤの広告コンテンツが属するジャンル情報を選択（登録）する。結果、図５（ｃ）例示のジャンルテーブル０５Ａ３が更新する。
【０１１２】
このように登録された広告コンテンツ及びサマリコンテンツが、管理制御サーバシステム０２０５に登録された様を図６（ｃ）で０５Ｂ３に示す。すなわち、サマリコンテンツテーブル０５Ｂ１内に記述のサマリコンテンツの本体、及び広告コンテンツテーブル０５Ｂ２内に記述の広告コンテンツの本体、についての格納の様子を０５Ｂ３に示している。
【０１１３】
図７は、管理制御サーバシステム０２０５が生成（或いは再生成）・管理している配信スケジュールテーブルの例である。配信スケジュールテーブルは、各所に散在し得るサマリ配信サーバシステム０２０２それぞれに対し管理制御サーバシステム０２０５が生成（或いは再生成）し、管理する。図７例示で、符号０５Ｃ２は、ＺＯＮＥ１００１１のサマリ配信サーバシステム０２０２に関するスケジュールであることを意味し、端末に提供するサマリコンテンツに関するＺＯＮＥ１００１１のサマリ配信サーバシステム０２０２における配信スケジュールが符号０５Ｃ３、広告表示装置で表示する広告コンテンツに関するＺＯＮＥ１００１１のサマリ配信サーバシステム０２０２における表示スケジュールが０５Ｃ４である。
【０１１４】
このようにサマリ配信サーバシステム０２０２毎の管理として、図５（ｂ）例示のＡＰ管理テーブル０５Ａ２で説明の通り、ここでは場所ＩＤを用い配信・表示スケジュールを管理しているが、場所ＩＤではなく、前述の通り例えば装置ＩＤやインターネットアドレスなどでサマリ配信サーバシステム０２０２を識別する場合は、装置ＩＤやインターネットアドレスなど毎にスケジュール０５Ｃ２を生成（或いは再生成）し、符号０５Ｃ１や符号０５Ｃ２といった２種のスケジュールをその装置ＩＤやインターネットアドレスなど毎に管理するなどとしても良い。
【０１１５】
ＺＯＮＥ１００１１のサマリ配信サーバシステム０２０２は、図５（ｂ）例示の広告テーブル０５Ａ２に記載の通り、該システムに広告表示装置及びアクセスポイント（ＡＰ）が接続する構成であるため、該システム向けのスケジュールテーブルは、アクセスポイントで端末に提供するサマリコンテンツのテーブル（符号０５Ｃ２）及び広告表示装置で表示する広告コンテンツのテーブル（符号０５Ｃ４）から成っている。つまり、ＺＯＮＥ１００１１のサマリ配信サーバシステム０２０２は、管理制御サーバシステム０２０５からスケジュール０５Ｃ２を受取って、ＺＯＮＥ１００１１のサマリ配信サーバシステム０２０２に接続のアクセスポイントではサマリコンテンツ０５Ｃ３を提供し、同システムに接続の広告表示装置付近に居る不特定多数のユーザには広告コンテンツ０５Ｃ４を表示する。また、広告表示装置で表示の広告コンテンツは、同図７例示の符号０５Ｃ４１のように、表示期間があっても良い。表示スケジュール０５Ｃ４を受取ってＺＯＮＥ１００１１のサマリ配信サーバシステム０２０２は、任意時刻において、条件０５Ｃ４１に適した１つ以上の広告コンテンツを例えば順次に表示したりランダムに表示する（表示スケジュール０５Ｃ４例示でＰＭの任意時では、ＤＣＴ９９−０１を除いたコンテンツを順次表示したり、ランダム表示する。）。
【０１１６】
一方、同図７例示でＺＯＮＥ１００１３のサマリ配信サーバシステム０２０２は、図５例示の広告テーブル０５Ａ２において広告表示装置のみの接続構成としているため、符号０５Ｃ３に相応するサマリコンテンツのテーブル内容が存在しない。また、同システムに接続の広告表示装置に表示の広告コンテンツに関しても、ＺＯＮＥ１００１１の広告表示装置で表示の広告コンテンツの種類とは異なったりなどしたりする（図７例示でＤＣＴ１０−０１の広告コンテンツがＺＯＮＥ１００１３の表示スケジュールには含んでいない）。勿論、広告表示装置を接続構成とするサマリ配信サーバシステム０２０２間において広告コンテンツの表示スケジュールが完全一致であっても良い。同様、アクセスポイントを接続構成とするサマリ配信サーバシステム０２０２間において端末提供し得るサマリコンテンツの種類が完全一致であっても良い。
【０１１７】
符号０５Ｃ３で示す内容は、ＺＯＮＥ１００１１におけるサマリ配信サーバシステム０２０２が自システムに接続のアクセスポイントを介し端末に提供するコンテンツの一覧であるが、その端末を有するユーザに対してはユーザが予め登録しているジャンルのサマリコンテンツのみを提供する。ジャンルによるサマリコンテンツのこのフィルタリングは、端末がこれを担う。後述する図９、図１０でも説明するが、本実施例１でユーザは、希望とするコンテンツのジャンルを予め端末に登録しておく。そうすることで端末は、ＺＯＮＥ１００１１のサマリ配信サーバシステム０２０２に接続のアクセスポイントを介し提供されるサマリコンテンツのうち、すなわち、符号０５Ｃ３のサマリコンテンツのうち、端末で予め保持しているユーザが登録のジャンル情報に基づいてサマリコンテンツのフィルタリングを行なう。このため、符号０５Ｃ３例示のようにサマリコンテンツのスケジュールにおいてはジャンル情報を伴なう。ＺＯＮＥ１００１１のサマリ配信サーバシステム０２０２に接続のアクセスポイントを介し、端末がサマリ配信サーバシステム０２０２に接続すると、ＺＯＮＥ１００１１のサマリ配信サーバシステム０２０２は、符号０５Ｃ３記載のサマリコンテンツを端末に提供する（ＣＴ１３００８のサマリコンテンツ自体（図６(a)例示のａｂｃｄ．ａｂｃであったりする）、ＣＴ１３１００のサマリコンテンツ自体（図６(a)例示のｂｃｄｅ．ａｂｃであったりする）、ＣＴ１４００１のサマリコンテンツ自体（図６(a)例示のｇｆｔ０．ａｂｃ）を順次端末に提供する）。このとき、提供するそれぞれのサマリコンテンツ（図６(a)例示のａｂｃｄ．ａｂｃなど）には、符号０５Ｃ３に記載のジャンルＩＤ及びサブジャンルＩＤ（図６例示のａｂｃｄ．ａｂｃの場合、ＪＲＥ１１００１及び００１０）値が格納してあり、サマリコンテンツを受取って端末は、サマリコンテンツ自体に記載のそのジャンルＩＤ値及びサブジャンルＩＤ値と、自端末にユーザが設定したジャンルＩＤ値及びサブジャンルＩＤ値とを比較し、適合したサマリコンテンツのみを自端末に格納する。適合しないサマリコンテンツは格納せず端末が破棄する。
【０１１８】
端末にユーザが登録するジャンル情報を、サービス運用者あるいはシステム運用者が取り決めたジャンルＩＤ値及びサブジャンルＩＤ値（例えば図５（ｃ）例示のジャンルテーブル０５Ａ３のジャンル名及びジャンルＩＤ値）に変換するには、例えば、サービス運用者あるいはシステム運用者が別途ジャンル表（ジャンル名及びジャンルＩＤ値）などを紙などで発行し、そのジャンル表をみながらユーザが端末にＩＤ値を入力するなど、が考えられる。勿論、他の方法であっても良く、例えばバーコードやＱＲコードなどを利用し端末にそのリーダ機能を設け、バーコードやＱＲコードで記述されるジャンル名及びそのＩＤ値を端末に読み込ませるなどであっても良い。また、他の例として、ジャンル名及びそのＩＤ値の一覧を任意の形式でファイル化し、これをインターネット網上に別途用意するサイトで公開し、ジャンル名及びそのＩＤ値の一覧ファイルを端末がダウンロードできるような環境（インターネット網上のサイト）を用意して、端末所持ユーザに対し予めダウンロードして貰うなどであっても良い。
【０１１９】
一方、符号０５Ｃ４に例示のジャンルＩＤ及びサブジャンルＩＤの２つの情報項目は、広告表示装置に表示の広告コンテンツの表示スケジュールテーブルとしては必須ではない（表示スケジュールテーブル内には無くとも良い情報項目である）。つまり、ジャンルＩＤ値やサブジャンルＩＤ値、もしくはこれらＩＤ値に相応するジャンル名称などを、例えば広告表示装置に表示したりなど必須ではない。これは単に、サマリコンテンツのスケジュールに併せた様式（ｆｏｒｍ）で広告コンテンツの表示スケジュールも管理している様を例示したものである。
【０１２０】
スケジュールテーブル０５Ｃ２のように、各所に散在し得るサマリ配信サーバシステム０２０２それぞれに対し、サマリコンテンツのスケジュール、広告コンテンツの表示スケジュールの２種を管理制御サーバシステム０２０５が生成（或いは再生成）し管理する。また、サマリ配信サーバシステム０２０２は、自システム向けの０５Ｃ２相応のテーブルを定期的に管理制御サーバシステム０２０５から受取って、自システムに接続し得るアクセスポイントを介し端末に提供するサマリコンテンツ、及び自システムに接続し得る広告表示装置に表示の広告コンテンツを知り得る。
【０１２１】
次に、２種のスケジュールを管理制御サーバシステム０２０５が生成或いは再生成することについて説明する。以下の説明では、２種のスケジュールの再生成を日単位とする。勿論、スケジュール再生成は日単位での実施、時間単位での実施、分単位での実施、などであっても良く、任意時間間隔で再生成できる。図７例示で、各所に散在し得るサマリ配信サーバシステム０２０２各々における２種のスケジュール（サマリコンテンツのスケジュール、広告コンテンツの表示スケジュール）を、全サマリ配信サーバシステム０２０２分纏めたのが、符号０５Ｃ１に示すテーブルである。特に、このテーブル０５Ｃ１は、任意日付３月９日のスケジュールであることを意味し、これを管理制御サーバシステム０２０５が３月８日の任意時刻に生成したとする。勿論、３月８日の該時刻において、３月９日及び３月１０日の２日間分のスケジュールを生成しても良い。この３月８時点での生成（つまり初期生成の時点）は、通常、図６例示のようなコンテンツ提供者などによるコンテンツ提供条件に基づき管理制御サーバシステム０２０５が生成する。すなわち、ＺＯＮＥ１００１１のサマリ配信サーバシステム０２０２は、図５例示で設置場所が銀座、その接続構成がＡＰ/広告表示装置の両方であるので、図６例示の希望対象地域記載の条件で都内、全国、東日本、主要都市などの条件に合致し、且つ、コンテンツの提供有効期間も図７例示のスケジュールが３月であるので、図６例示のＣＴ１３００８/１３１００/１４００１の３つのサマリコンテンツ、ＤＣＴ０８−０２/１０−０１/９９−０１の３つの広告コンテンツなどを図7例示の０５Ｃ２のテーブルに記述する（初期生成の時点）。
【０１２２】
この状態で３月９日になって管理制御サーバシステム０２０５は、３月８日に生成した符号０５Ｃ１のテーブルを再生成する。再生成にあたっては、後述の図８相応の収集データテーブルなどを元に、例えば人気度の高いサマリコンテンツの配信もしくは広告コンテンツの表示スケジュールとなるように再生成したり、或いは例えば人気度の高いコンテンツと同類ジャンルの他広告コンテンツの表示スケジュールとなるように再生成する。定期的に管理制御サーバシステム０２０５にアクセスするサマリ配信サーバシステム０２０２は、３月９日になって、且つ、管理制御サーバシステム０２０５がこの再生成を完了した後で、再生成された０５Ｃ１相応のテーブルのうち、自システム向けの０５Ｃ２相応の再スケジュールテーブルを受取ることで、始めて３月９日分の最新スケジュールが管理制御サーバシステム０２０５からサマリ配信サーバシステム０２０２に提供されたことになる。（１回目の再生成）
これらスケジュールの再生成で用いる図８例示の収集データテーブルは、前記のアクセス情報を用い管理制御サーバシステム０２０５内で生成する。収集テーブル０５Ｄ１は、３月８日終了時点でアクセス情報を収集し管理制御サーバシステム０２０５が生成したテーブルであるとする。収集したアクセス情報を元に生成する収集テーブル０５Ｄ１は、サマリ配信サーバシステム０２０２毎に、且つ、任意サマリ配信サーバシステム０２０２で取り扱っていたサマリコンテンツ毎に管理制御サーバシステム０２０５が情報整理している。
【０１２３】
符号０５Ｄ１４は、３月８日の一日間に任意サマリコンテンツを任意サマリ配信サーバシステム０２０２でユーザ（端末）に提供した総数を意味し、その総数に対し符号０５Ｄ１３は、該一日間に詳細コンテンツ配信サーバシステム０２０３にアクセスした（サマリコンテンツから誘導した）数値を意味している。このほか符号０５Ｄ１５に示すように、詳細コンテンツ配信サーバシステム０２０３にアクセスしたユーザ情報などもアクセス情報の収集・整理に併せ管理制御サーバシステム０２０５が生成・管理する。このような情報生成も会員制などすることによって可能である。例えば、図８例示のサマリコンテンツ１３００８の詳細コンテンツにアクセスのあった９８アクセスの端末（ユーザ）のＩＤが詳細コンテンツ配信サーバ０２０３からリスト化されアクセス情報として管理制御サーバシステム０２０５に収集することで、該アクセスユーザのＩＤに紐付く属性情報を使って（図５(a)例示のユーザ管理テーブル０５Ａ１相応の情報テーブルを持ち、該アクセスユーザのその属性情報を使って）、統計処理することで該アクセスユーザの８割が年齢４０代である、など生成することは容易に可能である。
【０１２４】
図８例示で符号０５Ｄ１１は、アクセス情報を収集する単位時間（ここでは日単位に仮定）において、任意サマリコンテンツを任意サマリ配信サーバシステム０２０２で取り扱っていた時間を意味し、３月７日終了時点までの総取扱い時間に対しこの符号０５Ｄ１１に示す時間を加えた総累計時間が符号０５Ｄ１２に示す時間である。すなわち、符号０５Ｄ１２に示す時間から符号０５Ｄ１１に示す時間を差し引いた時間値が、３月７日までの任意サマリ配信サーバシステム０２０２における任意サマリコンテンツの総取扱い時間であることを意味している。
【０１２５】
アクセス情報を収集し管理制御サーバシステム０２０５は、符号０５Ｄ１１、０５Ｄ１２、０５Ｄ１３、０５Ｄ１４、などといった情報項目を整理・生成し、場合によっては０５Ｄ１５などの統計情報も算出した上で、ある特定のサマリ配信サーバシステム０２０２で人気のサマリコンテンツや、該人気サマリコンテンツの属すジャンルなどを抽出する。勿論、符号０５Ｄ１１/０５Ｄ１２/０５Ｄ１３/０５Ｄ１４/０５Ｄ１５といった情報項目以外でも、アクセス情報を用い整理・生成することが容易に可能でそれら情報項目を使って、同様、ある特定のサマリ配信サーバシステム０２０２で人気のサマリコンテンツや、該人気サマリコンテンツの属すジャンルなどを管理制御サーバシステム０２０５が抽出することも出来る。例えば、０５Ｄ１３といったある時間間隔での詳細コンテンツ配信サーバへの誘導数以外に、符号０５Ｄ１２記載の累計数に同様、誘導累計数などといった情報項目を管理制御サーバシステム０２０５で整理・生成し、人気度合いを評価するなども容易に実現できる。このように、図８例示の収集テーブルに記載の情報項目はあくまで一例であって、ここで留意するべきことは、これら情報項目名ではなく、アクセス情報を収集し、収集したアクセス情報から管理制御サーバシステム０２０５内で算出処理した結果を元に図７例示のようなスケジュールを再生成する、ということである。
【０１２６】
符号０５Ｄ１例示の３月８日終了時点でのアクセス情報収集テーブルの内容で、例えば、ＺＯＮＥ１００１１のサマリ配信サーバシステム０２０２におけるＣＴ１５００１のサマリコンテンツに関する詳細コンテンツへの誘導数が２０/２８０と低いことから、前述の３月９日スケジュールに関する１回目の再生成時では、ＣＴ１５００１の属す同ジャンルＪＲＥ１３１００/０００１の広告コンテンツＤＣＴ２０−０２についてが、図７例示の広告コンテンツ表示スケジュール０５Ｃ４から取り除かれたり、などしたりする。また、図７例示においてＺＯＮＥ２０１１１のサマリコンテンツのスケジュール記載を割愛しているが、サマリコンテンツＣＴ１４００１の記載が前記の（３月９日分の）初期生成のスケジュールに記載されていたとすれば、ＺＯＮＥ１００１１の再生成に同様、図８例示のアクセス情報収集テーブルの内容で、ＺＯＮＥ２０１１１のサマリ配信サーバシステム０２０２が提供するＣＴ１４００１のサマリコンテンツに関する詳細コンテンツへの誘導数がゼロであることから、例えば再生成では、ＺＯＮＥ２０１１１のサマリコンテンツのスケジュールからＣＴ１４００１のコンテンツが取り除かれる。
【０１２７】
スケジュールに関するこのような初期生成から再生成（１回目の再生成）へといったルーチン処理は、継続して逐次行なうことも出来る。例えば１回目の再生成から２回目の再生成へ、更に３回目の再生成へ、４回目の再生成へ、と同様のルーチン処理を続けることが容易にできる。スケジュール生成の説明はここまで仮に日単位としその例を説明したが、これを時間単位、分単位などといった任意間隔単位にすることも可能であり、これによって２回目の再生成へ、更に３回目の再生成へ、４回目の再生成へ、とルーチン処理を続けることが出来る。例えば時間単位と仮定すれば、管理制御サーバシステム０２０５が収集するアクセス情報は時間単位に収集し、図８例示の符号０５Ｄ１１記載の情報項目は１時間当たりで任意サマリコンテンツを取り扱った時間となり、符号０５Ｄ１３/０５Ｄ１４記載の情報項目はそれぞれ１時間当たりの誘導数、１時間当たりのサマリコンテンツの提供数に相応し、これら１時間当たりの情報項目から人気度を抽出し、それを３月９日分の図７例示の０５Ｃ１相当のテーブルに反映すれば良い。次の１時間後も、同様にアクセス情報を収集し、図８例示相当の１時間当たりの情報項目から人気度を抽出し、その結果を１時間前に先程生成或いは再生成した図７例示の０５Ｃ１相当のテーブルに反映すれば良い。
【０１２８】
次に、端末の動作について説明する。図９例示は、ユーザが取得希望するコンテンツのジャンル情報を端末に登録・（端末で）管理し、サマリ配信サーバシステム０２０２、詳細コンテンツ配信サーバシステム０２０３提供のコンテンツを取得する、といった実施例１における端末の一動作フローを示している。
【０１２９】
図９で端末の動作フローは３つに大きく区分できる（ステップ０６０１）。１つは、ユーザが取得希望するコンテンツのジャンル情報の登録（初期準備）、１つは、サマリ配信サーバシステム０２０２からのコンテンツ取得（サマリアクセス）、１つは、詳細コンテンツ配信サーバシステムからのコンテンツ取得（詳細アクセス）である。勿論、サービス運用者あるいはシステム運用者が取り決めた前述のジャンルＩＤ値及びサブジャンルＩＤ値（例えば図５（ｃ）例示のジャンルテーブル０５Ａ３記載のジャンル名及びジャンルＩＤ値といったジャンル表）の登録（もしくは変換）についてのステップも、図９例示において同端末における動作フローとして必要であるが、前述の通り、該ジャンル表の端末への登録方法はさまざま考えられ、その方法により該ジャンル表の端末への登録フローも様々となり図９例示では割愛している。該ジャンル表の端末への登録には、前述したが、一例として、紙媒体等のジャンル表発行・配布物によるユーザ入力、バーコード入力、ＱＲコード入力、或いは任意ファイル形式でのジャンル表ファイルの端末ダウンロードなど、この他方法も含めさまざまあり得る。このように端末は、（１）ジャンル表の登録（２）取得希望コンテンツのジャンルの登録（３）サマリコンテンツの取得（４）取得（ないしは既得）サマリコンテンツから詳細コンテンツへのアクセス、といった動作となる。これら（１）（２）（３）（４）それぞれについてユーザは、好きなときにいつでも端末を起動し所定の端末操作を行なえばよい。勿論、（２）は（１）の所定操作が端末で完了していることが前提であり、（３）は（２）の所定操作が端末で完了していることが前提であり、（４）は（３）の所定操作で端末内に任意のサマリコンテンツが取得できていることが前提となる。
【０１３０】
なお、端末に関する動作フローの説明においても、実現でき得るサービスを会員制とし説明することとする。特に、会員制としユーザに割当てるユーザＩＤを、サマリ配信サーバシステム０２０２・詳細コンテンツ配信サーバシステム０２０３からコンテンツを取得する場合においてこれを用いる。また、後述する図１０、図１１で説明する動作シーケンスにおいても会員制を想定し説明している。勿論、会員制でなくとも良く、会員制としない場合については適宜説明する。
【０１３１】
端末を起動し、ユーザが取得希望するコンテンツのジャンル情報の登録を選択する場合、すなわち、図９例示でステップ０６０１で、ユーザが条件登録（初期準備）を選択する場合、端末はユーザに対し端末ＧＵＩなどでユーザＩＤの入力を要求する（ステップ０６０２）。このユーザＩＤの入力要求は、ユーザＩＤの確認であっても良い。この場合、ユーザが一度入力したユーザＩＤを端末内で保持するなどで容易に実現できる。会員制としない場合、このステップ０６０２は無くとも良い。
【０１３２】
このステップ０６０２に続きユーザは、基本的に、取得希望とするコンテンツのジャンル情報の登録（ステップ０６０４）を行なえば良いのだが、ステップ０６０２に続いてユーザの属性情報の入力（ステップ０６０３）をユーザに要求することなども考えられる。管理制御サーバシステム０２０５側で前述の通り、例えば図５(a)例示のユーザ管理テーブル０５Ａ１などのように、会員制として予め管理制御サーバシステム０２０５側でユーザの属性情報を管理しておく場合にはこのステップ０６０３は端末フローにおいて無くとも良い。この図９例示の初期準備でステップ０６０３は、管理制御サーバシステム０２０５側に図５(a)例示のユーザ管理テーブル０５Ａ１などといったユーザの属性情報テーブルを持たない場合を想定した場合の代替例である。
【０１３３】
ステップ０６０３で入力された端末に管理のユーザ属性情報は、サマリ配信サーバシステム０２０２への端末アクセスの際、或いは詳細コンテンツ配信サーバシステム０２０３への端末アクセスの際、においてサマリ配信サーバシステム０２０２に端末が提供したり、詳細コンテンツ配信サーバシステム０２０３に端末が提供する。これによって、サマリ配信サーバシステム０２０２或いは詳細コンテンツ配信サーバシステム０２０３にアクセスしたユーザの属性情報を、サマリ配信サーバシステム０２０２、詳細コンテンツ配信サーバシステム０２０３が集計することができ、集計したアクセスユーザの属性情報は前述のアクセス情報の一構成要素とすることで、管理制御サーバシステム０２０５に該アクセスユーザの属性情報が集まることとなり、例えば図８例示の符号０５Ｄ１５といった情報項目を管理制御サーバシステム０２０５が整理・生成することが出来る。
【０１３４】
ステップ０６０２に続いて、或いはステップ０６０２からステップ０６０３へと続いた後、初期準備では、ユーザが取得希望とするコンテンツのジャンル情報をユーザが端末に登録する（ステップ０６０４）。端末に登録するジャンル情報は複数であったりする。ここでユーザの登録するジャンル情報とは、図５（ｃ）例示のジャンルテーブル０５Ａ３記載のジャンル名（及びサブジャンル名）などの選択であったり、或いはジャンルＩＤ（及びサブジャンルＩＤ）などの選択であったり、もしくはジャンルＩＤ（及びサブジャンルＩＤ）などの入力である。
【０１３５】
この初期準備でユーザが設定したジャンル情報は、場合によってはユーザＩＤやユーザ属性情報も、すべて端末内で管理する。（ステップ０６０５）
このような初期準備でユーザが取得希望とするコンテンツのジャンル情報を端末に設定した後、サマリ配信サーバシステム０２０２からコンテンツをユーザが取得する場合、端末を起動し、サマリコンテンツの取得を選択する。（ステップ０６０１）
サマリコンテンツの取得を選択すると、端末は第２ネットワーク用に端末が具備する通信手段を起動し（ステップ０６１０）、第２ネットワークとの通信を確立させる。第２ネットワークとの通信を確立させるとは、サマリ配信サーバシステム０２０２に接続し得るアクセスポイントを介し、サマリ配信サーバシステム０２０２への接続を意味する。勿論、端末の現在箇所付近にアクセスポイントが存在しない場合であれば、第２ネットワークとの通信は確立しない。（ステップ０６１１）
端末の現在箇所付近にアクセスポイントがあってサマリ配信サーバシステム０２０２との通信が確立すると、端末は、サマリ配信サーバシステム０２０２にユーザＩＤを提供する。このとき端末は併せてユーザ属性情報を提供する。（ステップ０６１２）
会員制で無い場合、このステップ０６１２は無くとも良い。また会員制であっても、例えば図５(a)例示のテーブル０５Ａ１といった情報テーブルを管理制御サーバシステム０２０５で予め用意し管理している場合には、図９例示のステップ０６０３も無く（端末内でユーザ属性情報を管理する必要はなく）、このステップ０６１２においてもユーザ属性情報をサマリ配信サーバシステム０２０２に端末が提供する必要も無かったりする。この場合、ステップ０６１２はユーザＩＤの提供のみなどとなる。
【０１３６】
サマリ配信サーバシステム０２０２との通信が確立すると（ステップ０６１１）、会員制であれば続いてユーザＩＤを提供し、場合によってはユーザＩＤと共にここでユーザ属性情報を提供した後、端末は、サマリ配信サーバシステム０２０２からサマリコンテンツを取得する（ステップ０６１３）。
【０１３７】
ここで端末が取得するサマリコンテンツは、例えば図７例示のサマリ配信サーバシステム０２０２ＺＯＮＥ１００１１のＣＴ１３００８といったコンテンツＩＤのコンテンツ本体であったりなどする。すなわち、この場合であれば図６例示のコンテンツファイルａｂｃｄ．ａｂｃに相応する。更に端末は、この場合、ａｂｃｄ．ａｂｃを取得し、続いてステップ０６１４、０６１５、０６１６と処理を行なうと、図７例示でＣＴ１３１００といったコンテンツＩＤのコンテンツ本体（図６例示のｂｃｄｅ．ａｂｃに相応）に関しステップ０６１４、０６１５、０６１６と処理する。このようなルーチン処理を図９例示で端末は、ステップ０６１１で通信確立したサマリ配信サーバシステム０２０２が取り扱うサマリコンテンツ全てに対し順次行なう。
【０１３８】
ステップ０６１４で端末は、取得したサマリコンテンツに対し、ユーザが自端末に設定登録したジャンル情報（ステップ０６０４相応で設定したジャンル情報）と、サマリコンテンツ本体に含むジャンルＩＤ（及びサブジャンルＩＤ）と、を比較する。ここで合致する場合は次ステップへ、不一致の場合は、そのサマリコンテンツを破棄し、取得した他のサマリコンテンツに対する同様の比較を行なう。すなわち、図９例示で端末は、この処理でジャンルによるサマリコンテンツのフィルタリングを行なっている。（ステップ０６１４）
ジャンル情報の合致したサマリコンテンツに対し端末は、既に端末内に格納済みであるかどうかを確認し、格納済みである場合は破棄し、格納未である場合は該サマリコンテンツを自端末に格納する。（ステップ０６１５）
ここで（ステップ０６１５で）格納したサマリコンテンツは後述するステップ０６２０、０６２２においてユーザが確認（視聴ないしは開くなど）する。また、サマリコンテンツ自体には、場所ＩＤ、（サマリ）コンテンツＩＤ、ジャンルＩＤなどといった情報がコンテンツ自体のファイルに含んでいる。例えば、図５、図６、図７それぞれ例示において、ＣＴ１３００８といったコンテンツＩＤを持つａｂｃｄ．ａｂｃといったサマリコンテンツには、ＣＴ１３００８といったコンテンツＩＤ、ＪＲＥ１１００１・００１０といった同コンテンツの属すジャンルＩＤ（及びそのサブジャンルＩＤ）、ＺＯＮＥ１００１１といった同コンテンツ提供のサマリ配信サーバシステム０２０２の場所ＩＤ、ｘｘｘｘ．ｎｅ．ｊｐといった同コンテンツから誘導され得る詳細コンテンツのＵＲＬ、などといった情報が含んでいる。
【０１３９】
なお、図６における例えばａｂｃｄ．ａｂｃといったサマリコンテンツには、同図格納状態の時点では（図６例示に示す管理制御サーバシステム０２０５内管理の時点では）、ＺＯＮＥ１００１１といった場所ＩＤはまだ含んでいない。このサマリコンテンツ（場所ＩＤを含まないサマリコンテンツ。図６例示の例えばａｂｃｄ．ａｂｃといったコンテンツ）を端末に提供するサマリ配信サーバシステム０２０２が、管理制御サーバシステム０２０５から受取って、自サマリ配信サーバシステム０２０２内に管理する際にサマリ配信サーバシステム０２０２が自システムの場所ＩＤ情報を当該ファイルに含め管理し、自システムの場所ＩＤ情報を含んだサマリコンテンツとして端末に提供する。
【０１４０】
ステップ０６１５で自端末にサマリコンテンツを格納する際、端末は、格納するサマリコンテンツに対し、格納する時点の自端末の時間情報を関連付けて管理する（ステップ０６１６）。この管理は、例えばパーソナルコンピュータのオペレーティングシステムないしはファイル管理で一般的に見られるようなファイル名とファイル生成（ないしは更新）時間表示の関係などに相応する。格納サマリコンテンツに対し端末が関連付けするこの時間情報は、詳細コンテンツ配信サーバシステム０２０３に端末がアクセスした際、端末が詳細コンテンツ配信サーバシステムム０２０３に提供する情報の１つとなる。具体は、後述するステップ０６２６で端末が詳細コンテンツ配信サーバシステム０２０３に提供する。勿論、格納サマリコンテンツに対し格納時の時間情報を付与することは必須ではない。具体的にいつどこで取得したサマリコンテンツにユーザが興味をもって、そのサマリコンテンツからの誘導としてユーザが詳細コンテンツ配信サーバシステム０２０３のコンテンツにアクセスしたか、についての情報を管理制御サーバシステム０２０５で集計する場合などでは、こういった取得時間情報という情報種が重要であり、この情報はユーザの動向分析、志向分析などに利用できる。勿論、広告コンテンツの表示切替でも、こういったユーザの動向分析、志向分析の結果をもとに、人気広告コンテンツを表示させるように（或いは人気のない広告コンテンツと入れ替えるよう）スケジュールの再生成を行う。しかし注意するべきは、ユーザの動向分析、志向分析といった分析手法そのものは本質ではないということである。
【０１４１】
サマリコンテンツを取得した後、ユーザがサマリコンテンツを確認（ないしは閲覧）する場合、或いは、そのサマリコンテンツを確認（ないしは閲覧）しコンテンツの内容に興味を抱きそのサマリコンテンツの詳細コンテンツの確認（ないしは閲覧）をする場合、ユーザは端末を起動し、詳細コンテンツへのアクセスを選択する。（ステップ０６０１）
端末で取得したサマリコンテンツは、例えば取得日時順などの態様で一覧として表示されたりなどし（ステップ０６２０）、ユーザは、該一覧の中からサマリコンテンツの内容閲覧を希望するコンテンツを任意に選択できる。（ステップ０６２１）
ここで選択とは、すなわち、サマリ配信サーバシステム０２０２から取得した例えば前記端末取得のａｂｃｄ．ａｂｃファイルを開くなどに相応する。選択によりサマリコンテンツの内容が端末に表示され（ステップ０６２２）、この表示画面にてユーザは、詳細コンテンツへのアクセスを更に選択決定することができる。ユーザによる詳細コンテンツへのアクセスの決定は、例えば詳細コンテンツのＵＲＬなどの記述部（表示部）がステップ０６２２の表示画面上にあって、この表示部を選択するなどのユーザ操作によって行なわれる。前記端末取得のａｂｃｄ．ａｂｃファイルを画面表示中だとすれば、図６例示のテーブル０５Ｂ１で記述のｘｘｘｘ．ｎｅ．ｊｐというＵＲＬ記述（表示）がある。勿論、例えば「詳細内容へ」といった表記を同ａｂｃｄ．ａｂｃファイルの画面表示中にユーザに提示するなどといった代替の態様であっても良い。
【０１４２】
ＵＲＬなどのこの表示部のユーザ選択によって端末は、現在表示中（ステップ０６２２で表示中）のサマリコンテンツに関する詳細コンテンツへのアクセスステップ（次ステップ０６２４以降の各ステップ）を継続処理する。逆に、ステップ０６２２のサマリ表示画面を確認（ないしは閲覧）し、そのコンテンツの詳細内容に例えば興味ないのであれば、ステップ０６２２の同表示画面でユーザはステップ０６２０の一覧表示に戻るを選択できる。取得したサマリとしての内容を閲覧し、そのサマリの詳細内容を更に興味を抱いた場合などでユーザは、図９例示のこのステップ０６２２のサマリコンテンツの画面表示中にその詳細コンテンツへアクセスするか否かを選択する。（ステップ０６２３）
取得し現在端末で画面表示中（サマリ閲覧中）のサマリコンテンツに関し、（詳細内容の閲覧を希望し）詳細コンテンツへのアクセスをユーザが選択すると、端末は、第１ネットワーク用に端末が具備する通信手段を起動する（ステップ０６２４）。このステップ０６２４は、第２ネットワーク用の通信手段から第１ネットワーク用の通信手段への切り替えなどであったりする場合も考えられる。ステップ０６１０で第２ネットワーク用の通信手段を起動し、サマリコンテンツを取得、自端末へそのサマリコンテンツを格納し、続いて格納したサマリコンテンツの内容を閲覧し（ないしはファイルを開くなどして）、続いてその詳細コンテンツへのアクセスを選択するなど、一連的にユーザが選択操作する場合、ステップ０６１０でアクティブである第２ネットワーク用の通信手段が、このステップ０６２４で初めて第１ネットワーク用の通信手段に切り替わったりなどしたりすることも考えられる。
【０１４３】
第１ネットワーク用の通信手段を起動する（ステップ０６２４）と端末は、ステップ０６２３でユーザが選択したサマリコンテンツに記述のＵＲＬ情報を用い第１ネットワークにアクセスし、該ＵＲＬ情報で一意に指定される詳細コンテンツ配信サーバシステム０２０３ないしは詳細コンテンツにアクセスを実行する（ステップ０６２５）。
【０１４４】
詳細コンテンツ配信サーバシステム０２０３にアクセスすると端末は、サマリ配信サーバシステム０２０２から取得した（既に端末に格納してある）サマリコンテンツに記述の場所ＩＤ・コンテンツＩＤ（サマリコンテンツＩＤ）・ジャンルＩＤ（及び存在する場合はサブジャンルＩＤも含む）、及び端末に格納するユーザＩＤ、及びステップ０６１６でサマリコンテンツ格納時に端末が管理する時刻情報（取得時間情報）、を詳細コンテンツ配信サーバへ提供する（ステップ０６２６）。勿論、このステップはなくとも良く、これら情報を端末が提供することで（勿論、端末がこれら情報を管理したり生成したりすることで）、より具体的なユーザの志向分析、動向分析が管理制御サーバシステム０２０５側で実現できるようになる。このような情報種を取り扱わない場合、管理制御サーバシステム０２０５で収集できる情報は、例えば詳細コンテンツ配信サーバシステム０２０３へのアクセス数及びアクセス滞在時間などだけである。すなわち、この場合、アクセス件数と滞在時間だけを詳細コンテンツ配信サーバシステム０２０３では任意単位時間毎に集計し、これを管理制御サーバシステム０２０５に該単位時間毎に提供し、各所に散在し得る詳細コンテンツ配信サーバシステム０２０３全てから収集して管理制御サーバシステム０２０５では、これらアクセス件数と滞在時間とだけから人気コンテンツ或いは人気コンテンツの属するジャンルを抽出し、抽出結果を管理制御サーバシステム０２０５における広告コンテンツのスケジュール再生成に反映する、などとなる。この場合だと、サマリ配信サーバシステム０２０２の設置する場所や地域毎の人気度合いなどといった地域性に関するユーザニーズの動向分析や志向分析とは程遠く、広告コンテンツの切替が全国一様になるかもしれない。本実施例は、ここで記述の情報種に左右されるものではないが、さまざまな情報種を取り扱うことができる。（情報種を多く取り扱うことでユーザニーズの動向分析、志向分析への本実施例の寄与度は高い）
ステップ０６２６で端末が詳細コンテンツ配信サーバシステム０２０３に情報を提供すると、端末は初めて詳細コンテンツを表示する。（ステップ０６２７）
ここまで説明のように端末の動作フローは、ユーザが取得希望するジャンルの登録（初期準備）、サマリコンテンツの取得（サマリアクセス）、詳細コンテンツの取得（詳細アクセス）といった３つに大きく区分できる（サービス運用者あるいはシステム運用者が取り決めたジャンル表の端末への登録も含めると４つ）。本実施例は、このような端末でサマリコンテンツ、詳細コンテンツにアクセスした事実（端末所持ユーザのアクセス情報）をサービス運用者あるいはシステム運用者が収集し、その収集値を下に（端末所持ユーザの動向、例えば人気度など、といった収集結果を使って）、端末所持・不所持に関わらず広告表示装置近傍の不特定多数のユーザに対し広告内容（広告コンテンツ）を表示する、ないしは切り替えるものである。
【０１４５】
言い換えると本実施例では、端末所持のユーザ、不特定多数のユーザ、それぞれに対しコンテンツを提供し、特に端末所持ユーザには、ユーザが取得希望とするジャンルのコンテンツを提供し、不特定多数ユーザには、管理制御サーバシステム０２０５が収集・処理した端末所持ユーザの動向（アクセス情報の収集結果）を元に管理制御サーバシステム０２０５がサマリ配信サーバシステム０２０２毎に算出（再スケジュール）したコンテンツを広告表示装置にて提供する。
【０１４６】
このような端末と、管理制御サーバシステム０２０５、サマリ配信サーバシステム０２０２、詳細コンテンツ配信サーバシステム０２０３間のフローを図１０、図１１に例示する。特に、図１０は、端末から見て初期準備、サマリコンテンツ受信に関するフロー例であり、図１１は、同様に端末から見て詳細コンテンツへのアクセスに関するフロー例、及び表示装置への再スケジュールの展開フロー例である。以下、図１０、図１１を説明する。
【０１４７】
端末所持ユーザは、まず初期準備（ａ）として端末に希望ジャンルなどのユーザ条件を登録する（ステップ０７０１）。登録情報は端末で管理する（ステップ０７０２）。このステップ０７０１、０７０２は、図９例示の端末処理フローでステップ０６０１、ステップ０６０２〜ステップ０６０５に相応する。
【０１４８】
初期準備を終えユーザは、例えば買い物など外出先で、第２ネットワーク（例えばＷｉＦｉ無線網）における通信手段を起動させる（ステップ０７０３）と、初期準備でユーザが設定の希望ジャンルに関するサマリコンテンツを取得する。これが図１０例示の（ｂ）である。この（ｂ）は、図９例示の端末処理フローで、ステップ０６０１、ステップ０６１０〜ステップ０６１６の一連の処理に相応し、端末近傍に設置される第２ネットワークの例えば図１記載のアクセスポイント０１０６などを介して、該０１０６に接続のサマリ配信サーバシステム０２０２からサマリコンテンツを取得するものである。
【０１４９】
このとき、勿論、端末（もしくはユーザ）は、サマリ配信サーバシステム０２０２に接続の例えば図３例示のアクセスポイント０１０６付近にいなければ、第２ネットワークにおける通信手段を起動させた時点で失敗するが、ここでは第２ネットワークにおける通信が確立するものとし説明する（ステップ０７０４）。
【０１５０】
サマリ配信サーバシステム０２０２を認識すると端末は、サマリ配信サーバシステム０２０２に対しユーザＩＤ情報を提供する。このとき端末は併せてユーザ属性情報を提供したりなども行なう。（ステップ０７０５）
このユーザＩＤ情報の提供（ステップ０７０５）は、図９例示の端末処理フローでステップ０６１２に相応する。つまり、図９例示のステップ０６１２で説明に同様、会員制としない場合、ステップ０７０５は、無くとも良く、また会員制であってもユーザ属性情報は提供せずユーザＩＤの提供のみであっても良い。
【０１５１】
第２ネットワークを介しサマリ配信サーバシステム０２０２に端末がアクセスすると（ステップ０７０５があったり無かったりする）、実施例１では、アクセスしたサマリ配信サーバシステム０２０２が所有するサマリコンテンツ（１件以上のサマリコンテンツ）を、サマリ配信サーバシステム０２０２が全て（１件以上を）端末に提供する。１件目のサマリコンテンツの提供がステップ０７０６、２件目がステップ０７０６Ａ、といった具合である。サマリ配信サーバシステム０２０２がここで配信するサマリコンテンツとは、前述の通り、このサマリ配信サーバシステム０２０２向けに管理制御サーバシステム０２０５が定期的にスケジュール生成（再生成）し該サマリ配信サーバシステム０２０２に展開したものであり、サマリ配信サーバシステム０２０２は、管理制御サーバシステム０２０５から受取ったその最新のスケジュールに則り、提供するサマリコンテンツの内容を替えて、自システムにアクセスした端末に提供する。
【０１５２】
このように、端末内に（ユーザが設定した）ジャンル情報を持たせ、その上で、第２ネットワークを介しサマリ配信サーバシステム０２０２から受信した色々なジャンルのサマリコンテンツを、端末が、自端末で管理のジャンル情報を使ってフィルタリングする。これが図７例示のステップ０７０７であり、サマリコンテンツのジャンル情報と、自端末管理のジャンル情報とが合致する場合に自端末に格納し、合致しない場合は破棄などしたりする、といった具合である。更にステップ０７０７で端末は、ジャンル情報の合致したサマリコンテンツに対し、既に端末内に格納済みであるかどうかを確認し、格納済みである場合は破棄し、格納未である場合は該サマリコンテンツを自端末に格納する。つまり、ステップ０７０７は、図９例示の端末処理フローでステップ０６１４、ステップ０６１５に相応する。
【０１５３】
なお、サマリコンテンツを自端末に格納する際、端末は、格納するサマリコンテンツに対し、格納する時点の自端末の時間情報を関連付けて管理する。（ステップ０７０８。ステップ０７０８は図９例示のステップ０６１６に相応。但し、ステップ０６１６で説明に同様、ステップ０７０８は無くとも良い。）
ステップ０７０６〜ステップ０７０８といったサマリコンテンツ１件分の処理（ステップ０７０９）が終わり、２件目以降も同様の処理が続く。すなわち、ステップ０７０６に相当する次のサマリコンテンツの受信ステップ０７０６Ａ、ステップ０７０７に相当する端末内処理（ステップ０７０６Ａで受取ったサマリコンテンツのフィルタリング）ステップ０７０７Ａ、といった具合に続く。
【０１５４】
端末に取り込んだサマリコンテンツは、図１０のステップ０７０９で取り込んだサマリコンテンツよりも過去に既に端末に取り込んでいるもの含め、ユーザは確認できる（図１１、ステップ０７１０）。このステップ０７１０は、図９例示で、ステップ０６０１からの遷移を経てステップ０６２０を基点としたステップ０６２０〜ステップ０６２３のブロックに相応する。
【０１５５】
ここで、端末内の１つ以上のサマリコンテンツのうち、例えば任意サマリコンテンツに対しユーザが更に興味を持った場合など、詳細コンテンツへのアクセスを希望しユーザが端末操作すると、端末は、第１ネットワークにおける通信手段を起動し、ユーザが選択した（興味を持った）サマリコンテンツに記述の詳細コンテンツ配信サーバに対しアクセスする。（ステップ０７１１、ステップ０７１２）
ステップ０７１１は、図９例示のステップ０６２３でＹＥＳを選択することに相応し、またステップ０７１２は、図９例示でステップ０６２４、ステップ０６２５に相応する。すなわち、ステップ０７１１に記す選択とは、詳細コンテンツへのアクセスを希望した任意サマリコンテンツの表示画面上に、例えば詳細コンテンツのＵＲＬなどの記述部（表示部）が存在して、この表示部を選択するなどの簡易ユーザ操作によって行なわれる。またその結果、端末が行なう詳細コンテンツへのアクセスとは、ユーザが選択したその任意サマリコンテンツに記述のＵＲＬ情報を用い第１ネットワークにアクセスし、該ＵＲＬ情報で一意に指定される詳細コンテンツ配信サーバシステム０２０３ないしは詳細コンテンツにアクセスを実行する、ことを指す。
【０１５６】
ユーザが選択したサマリコンテンツに対する詳細コンテンツ配信サーバに（第１ネットワークを介して）端末がアクセスすると、端末は、サマリコンテンツに記述の場所ＩＤ・コンテンツＩＤ（サマリコンテンツＩＤ）・ジャンルＩＤ（及び存在する場合はサブジャンルＩＤも含む）、及び端末に格納するユーザＩＤ、及びサマリコンテンツ格納時に端末が管理する時刻情報（取得時間情報）、を詳細コンテンツ配信サーバへ提供する。すなわちアクセス情報を提供する。（ステップ０７１３）
このステップ０７１３は、図９例示でステップ０６２６に相応するが、ステップ０６２６で説明の通り、無くとも良い。例えば、図１０例示のステップ０７０８で、サマリコンテンツ格納時の時間情報を端末がサマリコンテンツ自体に関連付け管理しないなどの場合、ステップ０７１３において時刻情報（取得時間情報）を詳細コンテンツ配信サーバに提供しなくとも良い。
【０１５７】
このように、詳細コンテンツへのアクセスを希望し任意サマリコンテンツの画面表示上からユーザが端末操作する（アクセスする旨を選択する）と、端末は、その選択サマリコンテンツに記述のＵＲＬ情報を用い第１ネットワークを介し詳細コンテンツ配信サーバシステム０２０３にアクセスし（ステップ０７１３で、詳細コンテンツ配信サーバシステム０２０３に端末が提供する情報項目は、前記記述の項目のうち一部であったり、或いはステップ０７１３自体のステップが無かったりする）、詳細コンテンツの提供を受ける（ステップ０７１４）。
【０１５８】
ここまでで、端末所持ユーザと各サーバシステム間の作用が終わる。すなわち、端末の初期準備（図１０（ａ））を経て、第２ネットワークを介しサマリコンテンツを受信・格納（図１０（ｂ））し、端末格納の任意サマリコンテンツに興味を持った場合は更に、該サマリコンテンツに関する詳細コンテンツに第１ネットワークを介しアクセスする。言い換えれば、サマリコンテンツから詳細コンテンツへ誘導させる、といった態様で、その誘導実数（ここで云う誘導実数とは、例えば図４説明等で使用しているアクセス情報を指す）を、詳細コンテンツ配信サーバシステム０２０３経由で管理制御サーバシステム０２０５に収集する、或いは、サマリコンテンツ配信数に対する誘導実数を、サマリ配信サーバシステム・詳細コンテンツ配信サーバシステム０２０３双方から管理制御サーバシステム０２０５に収集する。（なお、以下説明する図１１（ｄ）では、管理制御サーバシステム０２０５は誘導実数のみの収集とし例示している。つまり、詳細コンテンツ配信サーバ各々からの収集のみを例示している。よって、サマリコンテンツ配信数に対する誘導実数を管理制御サーバシステム０２０５が収集とする場合は、図１１（ｄ）に加え更に、サマリ配信サーバシステム各々からもサマリコンテンツ配信数といったアクセス情報を管理制御サーバシステム０２０５に収集する。）
このような端末所持ユーザの動向（誘導実数、或いはサマリコンテンツ配信数に対する誘導実数）を収集し（例えば図８記載のテーブルＨ）、管理制御サーバシステム０２０５は、前述の例えば図７記載のスケジュールテーブル（テーブルＧ）をサマリ配信サーバシステム毎に生成或いは再生成し、サマリ配信サーバシステムに最新のスケジュールテーブルを展開する。これによって、広告表示装置との接続を有するサマリ配信サーバシステムは、広告表示装置で表示するコンテンツ（広告内容）を切り替える。すなわち、端末所持・不所持に関わらず、広告表示装置近傍の不特定多数のユーザ（図３例示の符号０３０７ユーザ）に対し、表示するべき広告コンテンツの内容を切り替える。これが図１１記載の（ｄ）である。
【０１５９】
図１１例示でステップ０７１５、ステップ０７１６が誘導実数（詳細コンテンツ配信サーバシステム０２０３各々で集計するアクセス情報）の収集である。このように、詳細コンテンツ配信サーバ各々から該情報を管理制御サーバシステム０２０５が定期的に収集する。なお、サマリ配信サーバシステム各々からもアクセス情報（例えばサマリコンテンツ配信数など）を管理制御サーバシステム０２０５が定期的に収集する場合は、このステップ０７１５、ステップ０７１６に同様で良い。ステップ０７１５、ステップ０７１６の情報提供元がサマリ配信サーバシステム各々となるだけである。
【０１６０】
定期的に収集したアクセス情報（詳細コンテンツ配信サーバ各々からのみの収集であったり、詳細コンテンツ配信サーバシステム０２０３各々及びサマリ配信サーバシステム各々といった双方からの収集であったりなどするアクセス情報）は、管理制御サーバシステム０２０５が、前記説明の図８例示のテーブルＨといった態様に集計処理し、その結果は図７例示のテーブルＧといった態様のスケジュールテーブルの再生成処理に用いる。スケジュールテーブルは、管理制御サーバシステム０２０５が、サマリ配信サーバシステム各々毎に、生成・再生成する。（ステップ０７１７）
管理制御サーバシステム０２０５が再生成したスケジュールテーブルは、サマリ配信サーバシステム各々に対し展開される。これがステップ０７１８、ステップ０７１９である。このステップ０７１８、ステップ０７１９で展開されるスケジュールテーブルが、サマリ配信サーバシステムにとっては、最新スケジュールテーブルであり、その最新スケジュールテーブルに記載の内容に従い、サマリ配信サーバシステムは、（１）自システムに接続するアクセスポイントで端末に提供するべきサマリコンテンツの内容を切り替えるないしは更新する、（２）自システムに接続する広告表示装置で表示するべき広告コンテンツの内容を切り替えるないしは更新する。これが、図１１例示のステップ０７２０である。勿論、接続の構成でアクセスポイントの接続がないサマリ配信サーバシステムの場合、（１）は無い。また、広告表示装置の接続がないサマリ配信サーバシステムの場合、（２）は無い。
【０１６１】
このように、サマリ配信サーバシステムは、管理制御サーバシステム０２０５からの最新スケジュールを受けて、自システム内で管理するべき（１）サマリコンテンツ（２）広告コンテンツ（表示コンテンツ）を切り替える（ないしは更新する）。そして、サマリコンテンツは、自システムにアクセスしてきた端末に対し提供し、広告コンテンツは、自システムに接続の広告表示装置に表示する。勿論、広告コンテンツが複数ある場合は、任意に順次、表示すれば良く、次のスケジュールテーブルを管理制御サーバシステム０２０５から提供されるまで、複数の広告コンテンツを繰り返し表示する。
【０１６２】
以上、端末を所持するユーザが、興味あるジャンルに関するサマリコンテンツを受取った事実や、実際に詳細コンテンツを欲し詳細コンテンツにアクセスした事実、を収集し、その収集値を下に、管理制御サーバシステム０２０５が自システムで生成・再生成し管理するスケジュールテーブル（例えば図７例示の情報テーブルなど）を更新し、再びサマリ配信サーバシステム各々へ展開することで、端末所持・不所持に関わらず広告表示装置近傍の不特定多数のユーザに対し広告内容を表示する、ないしは広告表示を切り替える、といった関係動作に関し、その実施形態を説明してきた。特に、実施例１として、端末所持ユーザのジャンル情報を端末に登録・管理する場合での、端末・サマリ配信サーバシステム・詳細コンテンツ配信サーバシステム０２０３・管理制御サーバシステム０２０５、及び関係動作・作用などを説明した。次に、実施例２を説明する。
【実施例２】
【０１６３】
実施例１では、端末所持ユーザ希望のジャンル情報を端末に登録・管理し、従って、サマリ配信サーバシステムが端末に提供するサマリコンテンツも該サマリコンテンツが所持する全てを端末に提供している。
【０１６４】
これに対し、実施例２は、端末所持ユーザ希望のジャンル情報を管理制御サーバシステムに予め登録・管理しておく。従って、サマリ配信サーバシステムが端末にサマリコンテンツを提供する際、サマリ配信サーバシステムは、該端末を所持したユーザのジャンル情報を管理制御サーバシステムに対し問合せ入手し、そのユーザが指定したジャンル情報（ないしはカテゴリ）のサマリコンテンツのみを端末に配信する。これ以外は実施例１に同じである。
【０１６５】
実施例２について実施例１に異なる態様を中心に以下説明する。なお、図１２、図１３、図１４、図１５は、実施例２を説明する図であり、実施例１に異なるものにつき各々図で符号を付している。
【０１６６】
図１２は、実施例２におけるシステムの構成例である。詳細コンテンツ配信サーバは実施例１に同じである。端末所持ユーザは、予め管理制御サーバシステムに対し、希望とするサマリコンテンツのジャンルを登録する。この登録用に管理制御サーバシステムがユーザの為に用意するのがユーザ登録用Ｗｅｂサーバ０８０１である。ユーザは、第１ネットワークを介し、図１の例えば０１０１Ｂ上や０１０１Ｃ上に存在する管理制御サーバシステムにアクセスし（図１２の０８０５）、同管理制御サーバシステムのＷｅｂサーバ０８０１に所定の情報を登録する。この登録の際、ユーザが用いる端末が０８０４である。端末０８０４は、端末０２１５であるが、勿論、他の端末であっても良い。例えば、自宅などで固定端末として使用しているデスクトップＰＣなどであっても良いし、Ｗｅｂアクセスが可能な携帯電話などであっても良い。０８０４は、第１ネットワークへのアクセスが可能な環境にあって、所定の情報項目に対するデータ入力或いはデータ選択といった操作性を有する端末であれば良い。
【０１６７】
Ｗｅｂサーバ０８０１にユーザが登録する所定の情報項目は、２つに大きく区分できる。１つは、ユーザが希望するサマリコンテンツのジャンル情報（サブジャンルなど含む）、１つは、ユーザの属性情報である。前者は、実施例１で端末に登録し端末内で保持していたジャンル情報で、ユーザが取得を希望するサマリコンテンツのジャンルの登録である。後者は、会員制とする場合の会員登録（ユーザ情報の登録）であったり、ユーザの属性情報（例えば、家族構成、性別、年齢層などといった情報）の登録である。このように実施例２は会員制となる。
【０１６８】
ユーザがここで登録した情報が図１３に例示するユーザテーブルＡ（符号０９Ａ１）である。このテーブルは、管理制御サーバシステムが管理している情報テーブル例であり、１行が１ユーザが管理制御サーバシステムに登録した情報である（勿論、ユーザ１人に複数の会員ＩＤを割当てることも可能である）。図１３例示で、符号０５Ａ１が、ユーザの属性情報項目例であり、図５例示のユーザテーブルＡに同様である。一方、図１３例示の符号０５Ａ１以外の情報項目が、ユーザが取得を希望するサマリコンテンツのジャンル情報である。
【０１６９】
図１２例示の０８０１へのユーザによるジャンル情報の登録は、０８０１にて、例えば予め決められているジャンル名をユーザに入力させたり、例えばプルダウンメニューなどでジャンルをユーザに選択させる、などの操作性で、希望ジャンルをユーザに登録させる。
【０１７０】
登録されたジャンル情報１件分を例示したのが図１３例示の符号０９Ａ１１である。同図１３は、この０９Ａ１１のジャンル情報を登録したＣＴ１４００１の男性ユーザが１件のみのジャンル情報を登録していることを表している。勿論、符号０９Ａ１２のようにユーザはジャンル情報を複数件登録することも出来る。
【０１７１】
図１３例示のこのようなユーザテーブルＡ（０９Ａ１）を管理するのが、図１２例示のサーバ０８０３である。管理制御サーバシステムのこのサーバ０８０３は、図４記載のサーバ０４０１に相応するもので、図５（a）記載のユーザテーブル０５Ａ１以外でサーバ内に管理する情報はサーバ０４０１に同じである（サーバ０８０３の場合、図５(a)の０５Ａ１に代わり、図１３例示の０９Ａ１となる。これ以外の情報テーブルは、サーバ０８０３とサーバ０４０１とで同じで例えば、図5例示の０５Ａ２、０５Ａ３、図６例示の０５Ｂ１、０５Ｂ２、０５Ｂ３、図７例示の配信スケジュールテーブル、図８例示の収集テーブル、それぞれを図１２例示のサーバ０８０３で格納・管理している。）。
【０１７２】
図１２のサーバ０８０１でユーザが登録したジャンル情報は、予めシステム運用者などがサーバ０８０３に定義登録してあるジャンルテーブル（図５（ｃ）例示のテーブル０５Ａ３）に従って、サーバ０８０１にて数値化され、数値化された情報がサーバ０８０３内で図１３例示のように格納される。例えば、ＣＴ１４００１といった会員ＩＤの男性ユーザは、「フォーマルな子供服」といったジャンル情報を入力或いは選択した結果、ＪＲＥ１２０１０といったジャンルＩＤ値、００１１といったサブジャンルＩＤ値に数値化され、０８０３内の図１３のテーブル０９Ａ１に同情報が格納されている、といった具合である。
【０１７３】
このように、サーバ０８０３とサーバ０８０１間の情報のやり取りなどを連携するのが図１２例示のユーザ登録処理部０８０２Ａである。同処理部０８０２Ａは、図５（ｃ）例示のジャンルテーブル０５Ａ３や図１３例示のユーザテーブル０９Ａ１を、サーバ０８０３から読み出しサーバ０８０１へ提供したり、サーバ０８０１でユーザが登録した数値化されたジャンル情報をサーバ０８０３へ格納したり、或いはサーバ０８０１でユーザが登録したユーザ属性情報などをサーバ０８０３へ格納したり、などのアプリケーションインタフェース処理を担う。ここで図１３例示のユーザテーブル０９Ａ１をユーザ登録処理部０８０２Ａが読み出しサーバ０８０１へ提供するのは、過去に登録した内容をユーザがサーバ０８０１にて確認できるようにするためであり、そういったユーザ支援機能もサーバ０８０１はユーザに対し提供する。
【０１７４】
実施例２の管理制御サーバシステムは、実施例１とは異なり、このような処理部０８０２Ａを新たに有する。この意味で、図４の管理制御アプリケーションサーバ０４０２と実施例２のアプリケーションサーバ０８０２は異なる。アプリケーションサーバ０８０２内の他の処理部は、以下説明するサマリコンテンツを端末へ提供する際の一部処理を除き、管理制御アプリケーションサーバ０４０２０４０２に同様である。
【０１７５】
ユーザが取得希望するサマリコンテンツのジャンル情報は、実施例１では端末内で、実施例２では管理制御サーバシステムで、各々の場合、管理する。従って、端末がサマリ配信サーバシステムにアクセスした後、サマリ配信サーバシステムが端末にサマリコンテンツを提供する場合の端末内処理及びサマリ配信サーバシステム内処理、管理制御サーバシステム内処理が、実施例１と実施例２とで大きく異なる。この為、図４の端末０２１５、サマリ配信サーバシステム０２０２、管理制御サーバシステム０２０５に対し、図１２では各々０８０６、０８０７、０８０８としている。
【０１７６】
図１２で、端末０８０６がサマリ配信サーバシステム０８０７に第２ネットワークを介しアクセスすると、端末はユーザＩＤをサマリ配信サーバシステムに提供する。ユーザＩＤは、サマリ配信サーバシステム０８０７の端末用サマリＷｅｂサーバが受取り、同Ｗｅｂサーバからサマリ配信アプリケーションサーバの特にサマリ配信処理部に渡される。サマリ配信処理部は、図４で説明の処理に加え、受取ったユーザＩＤに紐付く登録ジャンル情報を管理制御サーバシステム０８０８に問い合わせる。ユーザＩＤに紐付く登録ジャンル情報とは、前述の通り、管理制御サーバシステム０８０８にユーザが登録したジャンル情報であり、特に、０８０３内で管理している情報であって、例えば図１３例示の情報である。登録ジャンル情報に関するサマリ配信サーバシステム０８０７のこの問合せは、管理制御サーバシステム０８０８のサマリ用Ｗｅｂサーバを介し行なわれ、サマリ配信スケジューラ処理部が０８０３から読み出し、サマリ用Ｗｅｂサーバを介しサマリ配信サーバシステム０８０７に提供する。例えば、図１２例示の端末０８０６のユーザがＣＴ１４００１だとして、サマリ配信サーバシステム０８０７は、ＣＴ１４００１というユーザＩＤをキーに０８０８に問合せを行ない、結果、図１３例示の符号０９Ａ１１記載の情報を管理制御サーバシステム０８０８から受取る、などとなる。
【０１７７】
受取ったジャンル情報を元にサマリ配信サーバシステム０８０７は、特にサマリ配信処理部が、図４で説明のエリア提供コンテンツ管理サーバからコンテンツを取り出し、端末用サマリＷｅｂサーバを介し端末に提供する。０８０７内のエリア提供コンテンツ管理サーバには、図４で説明の通り、サマリコンテンツが格納してあって、このコンテンツは、管理制御サーバシステム０８０８からサマリ配信サーバシステム毎に展開しているものである。サマリ配信サーバシステム毎の展開とは、図７例示で説明の通り、サマリ配信サーバシステム毎に管理制御サーバシステムが生成・再生成するスケジュールによって展開する。
【０１７８】
例えば図１２例示の０８０７が、図７例示のＺＯＮＥ１００１１のサマリ配信サーバシステムだとし、今最新のスケジュールが（図７記載の）０５Ｃ３だとする。勿論、０５Ｃ３記載の（図７の）０５Ｃ２のスケジュールはＺＯＮＥ１００１１のサマリ配信サーバシステムに展開してあるとする。この場合、先の例でＣＴ１４００１のユーザがこのサマリ配信サーバシステムにアクセスしたとすると、図１２例示のサマリ配信処理部は、ＪＲＥ１２０１０、００１１といった図１３例示の符号０９Ａ１１の情報値（管理制御サーバシステムへ０８０７が問合せし、結果として管理制御サーバシステムから０８０７が入手するジャンル情報値。つまり、問合せで管理制御サーバシステムは０８０７からユーザＩＤを受取り、管理制御サーバシステムは、自システムで管理する図１３例示のテーブルの中から、該ユーザＩＤに紐付くジャンル情報値を抽出し、それを０８０７に提供する情報値）が０５Ｃ３記載の情報テーブルに存在しない為、このユーザが登録するジャンルに関するサマリコンテンツが無い旨を、端末用サマリＷｅｂサーバを介し端末に返す。
【０１７９】
もしここで、０５Ｃ３記載のスケジュールに該ジャンルＪＲＥ１２０１０、００１１といったサマリコンテンツが存在する場合には、当該ジャンルの０５Ｃ３記載されるべきコンテンツＩＤ値のサマリコンテンツを、ＺＯＮＥ１００１１のサマリ配信サーバシステムは端末に提供する（勿論、この場合、管理制御サーバシステム０８０８（特に０８０３）に管理の図５（ｃ）の０５Ａ３テーブルにおいては、ＪＲＥ１２０１０、００１１といった該ジャンルの情報テーブルにコンテンツＩＤの記載があり、図６記載の０５Ｂ１の情報テーブルにも該コンテンツＩＤの情報があって、該コンテンツＩＤのコンテンツ自体が同図６記載の符号０５Ｂ３に存在している、事となる）。
【０１８０】
このように、実施例２では、サマリ配信サーバシステム０８０７が、端末０８０６から提供されるユーザＩＤを元に管理制御サーバシステムに問合せを行なって、該端末のユーザが管理制御サーバシステムに別途登録したジャンル情報を入手し、そのジャンル情報を使って、自システムに管理するサマリコンテンツを抽出し、その端末に提供する。その上で端末０８０６は、サマリ配信サーバシステムから受取るサマリコンテンツを全て格納する。つまりこの他の、端末・サマリ配信サーバシステム・管理制御サーバシステム・詳細コンテンツ配信サーバシステム０２０３の動作・処理・作用などは、実施例１に同じである。
【０１８１】
図１４に実施例２での端末の動作を例示する。同図例示でも実施例１に異なるものにつき符号を付している。図１２で説明の通り、実施例２は、（１）端末所持ユーザが取得希望するサマリコンテンツのジャンル情報登録の態様、（２）サマリコンテンツ受信にかかるジャンルによるサマリコンテンツのフィルタリングの態様、でそれぞれ実施例１に異なる。従って、詳細コンテンツ配信サーバに端末がアクセスし詳細コンテンツを受ける（図１４例示の右ブロック、つまり詳細アクセス）、については実施例１として例示の図９に同じである。
【０１８２】
まずユーザは、初期準備として、管理制御サーバシステムに対し、取得希望とするコンテンツのジャンル情報を登録する。図１４例示では、ステップ１００１〜ステップ１００７が、この初期準備のブロックに相応し、実施例１として例示の図４ではステップ０６０２〜ステップ０６０５に相応する。このジャンル情報の登録（初期準備）でユーザは、図１２例示の端末０８０６を用い無くとも良く、端末０８０６を用いるであっても良い。これは図１２記載の符号０８０４で説明の通りである。この意味で、端末０８０６の動作フロー例として記載の図１４では、ジャンル情報の登録である初期準備を点線で表記している。つまり、実施例２で図１２例示の端末０８０６は、図１４例示のステップ１００１〜ステップ１００７が無くても良い。なお、図１４を説明する上では、図１２例示の端末０８０６を使って、管理制御サーバシステムにジャンル情報を登録するものとし説明する。
【０１８３】
図１４例示で、実施例２における図１２例示の端末０８０６の動作フローは、図９例示に示すような実施例１における端末に同様、（１）取得希望サマリコンテンツのジャンルの登録（初期準備）、（２）サマリコンテンツの取得（サマリアクセス）、（３）取得（ないしは既得）サマリコンテンツから詳細コンテンツへのアクセス（詳細アクセス）の３つに大きく区分できる。勿論、実施例１に同様、（２）は（１）の所定操作で管理制御サーバシステムにジャンル情報の登録が完了していることが前提であり、（３）は（２）の所定操作で端末内に任意サマリコンテンツが取得できていることが前提となる。
【０１８４】
実施例２において端末を起動し、ユーザが取得希望するサマリコンテンツのジャンル情報の登録を選択する場合（図１４記載の初期準備）、第１ネットワーク用に端末が具備する通信手段を起動し（ステップ１００１）、管理制御サーバシステムへの接続を行なう（ステップ１００２）。管理制御サーバシステムは、図２例示のように第１ネットワークを介し０１０１Ｂ或いは０１０１Ｃなどといった網上に唯一存在する。従って、管理制御サーバシステムへの端末のアクセスは、例えばインターネット上に管理制御サーバシステムが存在してたとして端末内に具備するＷｅｂブラウザなどを起動し管理制御サーバシステムのＵＲＬアドレスなどを指定する、といった一意情報によって容易にアクセスすることが出来る。アクセス先は、図１２例示のＷｅｂサーバ０８０１に相応する。
【０１８５】
管理制御サーバシステムにアクセスすると端末は、ユーザＩＤを管理制御サーバシステムに提供する（ステップ１００３）。このユーザＩＤの提供で、端末は、ユーザに会員ＩＤを入力させるであっても良いし、例えば端末に具備するＷｅｂブラウザを介し管理制御サーバシステムにアクセスするなどの場合だと管理制御サーバシステムが端末に提供するＨＴＭＬなどの画面において会員ＩＤの入力を促すような画面を該Ｗｅｂブラウザを介しユーザに提供する、などであっても良い。また、端末に会員ＩＤを記憶させるような機能を具備させ、一度ユーザが入力した会員ＩＤを端末で記憶し、管理制御サーバシステムへのアクセス時に自動的に端末が自端末で管理する会員ＩＤを管理制御サーバシステムに提供するなどであっても良い。なお、この会員ＩＤの提供で、管理制御サーバシステムへの会員登録を初めてユーザが行なう際は、つまり、会員ＩＤをまだ与えられてないユーザである場合は、この限りではない。この場合、例えば管理制御サーバシステムが端末に提供する画面で会員登録の入り口などを用意して、会員ＩＤの入力なしで会員登録の画面に遷移するような配慮が管理制御サーバシステムに必要である。このような管理制御サーバシステムの機能は、インターネットなどで一般的に汎用的に良く使われている。
【０１８６】
図１４でステップ１００３に続きユーザは、基本的に、取得希望とするコンテンツのジャンル情報の登録（ステップ１００５）を管理制御サーバシステムに対し行なえば良いのだが、ステップ１００３に続いてユーザの属性情報の入力（ステップ１００４）を管理制御サーバシステムがユーザに要求することなども考えられる。実施例２は会員制であるが、管理制御サーバシステム側でユーザの属性情報を管理しない場合にはステップ１００４は無い。勿論、この場合（ユーザの属性情報を管理しない場合）、実施例１で説明の通り、管理制御サーバシステムで収集できる情報は、例えば詳細コンテンツ配信サーバシステム０２０３、サマリ配信サーバシステムへのアクセス数、及び詳細コンテンツ配信サーバシステム０２０３でのアクセス滞在時間などだけであり、より具体的なユーザの志向分析、動向分析は難しい。管理制御サーバシステムがこのような情報種を多く取り扱うことで、ユーザニーズの動向分析、志向分析も可能になる。ステップ１００４で入力するユーザの属性情報の例が、図１３例示の符号０５Ａ１である。
【０１８７】
ステップ１００３に続いて、或いはステップ１００３からステップ１００４にと続いた後で初期準備は、ユーザが取得希望とするサマリコンテンツのジャンル情報を管理制御サーバシステムに登録する（ステップ１００５）。登録は、例えば端末に具備するＷｅｂブラウザなどを介し管理制御サーバシステムが提供する画面上にて、ユーザが端末から入力ないしは選択する等の操作によって行なう。管理制御サーバシステムに登録するジャンル情報は複数でもよい。
【０１８８】
この初期準備でユーザが設定したジャンル情報は、場合によってはユーザ属性情報も、全て図１２例示の管理制御サーバシステム０８０８で管理する（ステップ１００６）。登録完了後、端末と管理制御サーバシステムの接続は断する（ステップ１００７）。
【０１８９】
このような初期準備で、ユーザが取得希望するサマリコンテンツのジャンル情報を管理制御サーバシステムに登録した後、例えば出先などで、第２ネットワークを介しサマリコンテンツをサマリ配信サーバシステムからユーザが取得する場合、実施例２も実施例１に同様、ユーザは端末を起動し、サマリコンテンツの取得を選択する（図１４のサマリアクセス）。
【０１９０】
図１４例示のサマリコンテンツの取得で、図１２例示の端末０８０６は、実施例１の端末に同様、第２ネットワーク用に端末が具備する通信手段を起動し、端末近傍の例えば図２例示のアクセスポイント０１０６などを介し、その０１０６に接続するサマリ配信サーバシステムへアクセスする。アクセスで端末はユーザＩＤ（会員ＩＤ）をサマリ配信サーバシステムに提供する。この会員ＩＤのサマリ配信サーバシステムへの提供で、前記初期準備の際に実施例２の端末が会員ＩＤを記憶しているであれば、端末は、自端末に記憶する会員ＩＤをユーザに提示し、会員ＩＤの確認をユーザに求める。また、会員ＩＤを記憶してない端末の場合などでは、会員ＩＤの入力を端末はユーザに求める（図１４例示のステップ１０１０）。
【０１９１】
ステップ１０１０は、図１４記載のフローで第２ネットワーク用の通信手段を起動する前のステップとし例示しているが、サマリ配信サーバシステムに接続した後（サマリ配信サーバシステムへ端末が会員ＩＤを提供する前）のステップなどであっても良い。
【０１９２】
会員ＩＤをサマリ配信サーバシステムに提供した後、端末は、サマリ配信サーバシステムからサマリコンテンツを取得する（ステップ１０１１、１０１２）。このサマリコンテンツの取得は、実施例１と実施例２とで異なる。実施例１では、実施例１で説明の通り、端末がアクセスした該サマリ配信サーバシステムが取り扱う色々なジャンルのサマリコンテンツをサマリ配信サーバシステムが全て端末に提供し、端末内で自端末が管理するジャンル情報に従ってサマリコンテンツのフィルタリングを端末が行なう（ユーザが設定したジャンル情報値に適合するサマリコンテンツのみを端末が取捨選択し端末内に格納する）。一方、実施例２では、端末から受取った会員ＩＤを元に、サマリ配信サーバシステムが管理制御サーバシステムに該会員ＩＤが登録したジャンル情報の問合せを行なって、結果、ユーザが設定したジャンル情報値を管理制御サーバシステムから入手して、該サマリ配信サーバシステムが取り扱う色々なジャンルのサマリコンテンツのうち、ユーザの希望にあったジャンル情報値のサマリコンテンツのみを端末に提供する。従って、実施例２の端末は、サマリ配信サーバシステムから受取ったサマリコンテンツを全て自端末に格納する。図１４例示のステップ１０１１〜１０１２の処理ループが、実施例１と異なるサマリコンテンツのそういった取得に関する（実施例２の）端末の処理ループである。但し、ステップ１０１１及び１０１２の個々処理は、実施例１の端末フロー例である図９例示の０６１５及び０６１６の個々処理にそれぞれ同じであって違いは無い。つまり、実施例１と実施例２の端末内処理に関し、サマリコンテンツの取得という点でのみ比較してみれば、図９例示のステップ（処理ループ）０６１４がある場合が実施例１であり、無い場合が実施例２であり、この符号０６１４の処理ループの有無が、実施例１と実施例２のサマリコンテンツの取得処理でそれぞれ異なる、ことを意味している。
【０１９３】
サマリコンテンツを取得した後、ユーザがサマリコンテンツを確認（ないしは閲覧）する、或いは、端末内の任意サマリコンテンツを確認（ないしは閲覧）する、或いは、サマリコンテンツの内容に例えば興味を抱いた際などでサマリコンテンツにかかる詳細コンテンツにアクセスする、などの際は、実施例２の端末も、実施例１の端末に同様、図９例示のステップ０６２０〜ステップ０６２７に示すような一連の処理フローとなる。
【０１９４】
このように、実施例２で端末の動作フローは、（１）取得希望サマリコンテンツのジャンルの登録（初期準備）、（２）サマリコンテンツの取得（サマリアクセス）、（３）取得（ないしは既得）サマリコンテンツから詳細コンテンツへのアクセス（詳細アクセス）、といった３つに大きく区分できる。但し、（１）の初期準備は、当該端末の処理フローとして必須ではなく、これは図１２記載の符号０８０４で説明の通り、例えばいわゆるデスクトップＰＣなどの別端末であっても良い。更に、（３）の詳細アクセスは、実施例２の端末も実施例１の端末に同じである。
【０１９５】
実施例２におけるこのような端末と、実施例２における管理制御サーバシステム・サマリ配信サーバシステム間のフローを図１５に例示する。同図例示でも実施例１に異なるものにつき例示している。すなわち、実施例２も、実施例１で例示の図１０、図１１に記載するように、（ａ）初期準備、（ｂ）サマリコンテンツの受信、（ｃ）詳細コンテンツへのアクセス、（ｄ）広告コンテンツの表示、といった４つに大きく区分できるが、（ｃ）と（ｄ）に関しては実施例２も実施例１も同じであり、図１５では割愛している。なお図１５でもユーザは、図１２例示の端末０８０６（実施例２における端末）を用い、管理制御サーバシステムへのジャンル情報の登録を行なうものとし、図１５例示では（ａ）初期準備を記載している。ゆえ、図１５例示の（ａ）で、ユーザは、端末０８０６を用い管理制御サーバシステムとやり取りを行なうとしているが、例えばいわゆるデスクトップＰＣなどの別端末であっても良い。
【０１９６】
図１５例示で実施例２の端末所持ユーザは、まず（ａ）初期準備として、第１ネットワークにて管理制御サーバシステムにアクセスし、会員登録及び取得希望とするコンテンツのジャンル情報を登録する。ユーザは、端末及び第１ネットワーク用に端末が具備する通信手段を起動し管理制御サーバシステムへの接続を行なう。（図１５例示のステップ１１０１。ステップ１１０１は図１４例示でステップ１００１に相応する）
このとき、端末は、端末に具備する例えばＷｅｂブラウザなどを介し管理制御サーバシステムへの接続を行なうなどしたりする。
【０１９７】
管理制御サーバシステムへの接続が確立すると（ステップ１１１１）、情報登録用に管理制御サーバシステムが用意した画面が端末に提供される。この提供画面は、図１２例示のＷｅｂサーバ０８０１などが端末に提供するもので、例えばＨＴＭＬ形式の画面などである。この画面で端末は、端末が具備するツールを介し（上記例でＷｅｂブラウザなどを介し）、端末がユーザに表示する。（ステップ１１１２）
このステップ１１１１及びステップ１１１２は、図１４例示でステップ１００２に相応し、続くステップ１１１３が図１４例示でステップ１００３に相応する。ステップ１１１２で管理制御サーバシステムにアクセスすると端末は、ユーザＩＤ（会員ＩＤ）を管理制御サーバシステムに提供する（ステップ１１１３）。このユーザＩＤの提供で、端末は、ユーザに会員ＩＤを入力させても良いし、一度ユーザが入力した会員ＩＤを端末が記憶するなどして（記憶している）会員ＩＤ値を自動的に端末が管理制御サーバシステムに提供する、などであっても良い。勿論、記憶している会員ＩＤ値を管理制御サーバシステムに提供する前に、一旦ユーザに画面提示してユーザの確認を求め、ユーザの確認後に管理制御サーバシステムに値を提供する、などであっても良い。また、この会員ＩＤの提供で、初めてユーザが管理制御サーバシステムに会員登録する際などの場合は、図１４で既に説明の通りである。
【０１９８】
ステップ１１１３に続きユーザは、取得希望とするコンテンツのジャンル情報の登録や、ユーザの属性情報の登録を行なう（ステップ１１１４）。ステップ１１１４は、図１４例示でステップ１００４及びステップ１００５に相応する。
【０１９９】
登録された情報は、管理制御サーバシステム内で管理する（ステップ１１１５）。特にこの管理は、図１２例示の管理サーバ０８０３などが図１３例示のユーザテーブル０９Ａ１といった態様で管理している。
【０２００】
初期準備を終えユーザは、実施例１に同様、例えば買い物などの外出先で、第２ネットワーク（例えばＷｉＦｉ無線網）における通信手段を起動させ（図１５例示のステップ１１１７）、前記初期準備で管理制御サーバシステムに登録した希望ジャンルに関するサマリコンテンツを取得する。これが図１５例示の（ｂ）サマリコンテンツの受信である。この（ｂ）は、端末近傍に設置される第２ネットワークの例えば図１記載のアクセスポイント０１０６などを介して、該０１０６に接続のサマリ配信サーバシステムからサマリコンテンツを取得するものである。
【０２０１】
実施例１も実施例２もユーザは、取得希望するジャンルのサマリコンテンツを受信する。しかし、受信の過程でその方法が異なる。図１０例示の（ｂ）のように、実施例１で、サマリ配信サーバシステムは全てのジャンルのサマリコンテンツを端末に提供し、条件合致のジャンルのサマリコンテンツを端末内で抽出し、端末内に格納する。一方、図１５例示の（ｂ）のように、実施例２では、サマリ配信サーバシステムは全てではなく、条件合致するジャンルのサマリコンテンツのみを端末に提供し、これを端末は格納する。勿論、実施例１も実施例２も、端末（もしくはユーザ）が、サマリ配信サーバシステムに接続の例えば図１のアクセスポイント０１０６などの近傍に位置しなければ、第２ネットワークにおける通信手段を起動させた時点でアクセスは失敗となる。
【０２０２】
第２ネットワーク用の通信手段を起動させ（ステップ１１１７）、サマリ配信サーバシステムへの接続が確立すると（ステップ１１１８）、実施例２の端末は、サマリ配信サーバシステムに対し会員ＩＤを提供する（ステップ１１１９）。
【０２０３】
この会員ＩＤのサマリ配信サーバシステムへの提供（ステップ１１１９）は、実施例１で例示の図１０記載のステップ０７０５にも相応するが、次の点で異なる。
【０２０４】
実施例２で端末は、サマリ配信サーバシステムへの接続の際、必ず会員ＩＤを提供する（図１５例示のステップ１１１９）。これは、サマリ配信サーバシステムが管理制御サーバシステムに問合せするのに用いる為（すなわち、管理制御サーバシステムに登録されたユーザのジャンル情報を入手するのに用いる。入手したこのユーザのジャンル情報は、後述する１１２２で、サマリコンテンツのフィルタリングに用いる）と、ユーザ属性情報を管理制御サーバシステムが管理する場合は更に、サマリ配信サーバシステムから管理制御サーバシステムが収集するアクセス情報の一情報項目として、サマリ配信サーバシステムが集計する為、といった２つのことに拠る。勿論、実施例２でユーザ属性情報を管理しない場合などでは、後者は不要である。この場合、前者の為だけに会員ＩＤを端末は管理制御サーバシステムに提供する。
【０２０５】
一方、実施例１では、会員制とするか、会員制としないかで異なる。つまり、図１０例示のステップ０７０５は、会員制としない場合、図１０例示の（ｂ）に無くとも良いステップである。会員制とし、ユーザ属性情報を管理制御サーバシステムが管理する場合（図５（a）例示の０５Ａ１といったユーザテーブルを図４例示の管理サーバ０４０１などで管理する場合）は、実施例１でも、会員ＩＤのサマリ配信サーバシステムへの提供を要する。つまり、こういった意味で実施例１における図１０記載のステップ０７０５は例示している。
【０２０６】
ステップ１１１９における会員ＩＤのサマリ配信サーバシステムへの提供に先立ち、端末は、図１５例示では、ステップ１１１６でユーザに会員ＩＤの入力を求めている（ステップ１１１６）。ステップ１１１６は図１４例示のステップ１０１０に相応するが、図１４で説明の通り端末は、会員ＩＤを記憶するなどの機能を具備するであれば、このステップ１１１６は、端末が自端末に記憶する会員ＩＤをユーザに画面提示するなどして、提示した会員ＩＤの確認をユーザに求めること、などに相応する。また、ステップ１１１６は図１５例示で、ステップ１１１７の通信手段の起動に先立つステップとして例示しているが、ステップ１１１９の際にないしはステップ１１１９の前、に行なうステップであっても良い。
【０２０７】
このように端末がサマリ配信サーバシステムにアクセスし、会員ＩＤを端末がサマリ配信サーバシステムに提供すると、サマリ配信サーバシステムは、受取った会員ＩＤで管理制御サーバシステムに問合せを行ない、該会員ＩＤのユーザが管理制御サーバシステムに登録したジャンル情報値を入手する。（問合せステップ１１２０、ジャンル情報の入手ステップ１１２１）
サマリ配信サーバシステムが管理制御サーバシステムから入手するジャンル情報値は、例えば図１３記載の符号０９Ａ１１に示す情報などであったりする。図１３例示の０９Ａ１１は、ユーザが登録したジャンル情報１件に相応する。複数件でもよい。
【０２０８】
図１５例示のステップ１１２１でサマリ配信サーバシステムが入手したジャンル情報は、ステップ１１２２におけるサマリコンテンツのフィルタリングに用いる。この実施例２におけるサマリコンテンツのフィルタリングとは、サマリ配信サーバシステムが自システムで取り扱う全ジャンルのサマリコンテンツのうち、入手したユーザ登録のジャンル情報に合致したジャンルのサマリコンテンツをサマリ配信サーバシステムが抽出する、ことを指す。つまり、ユーザの希望にあったジャンル情報値のサマリコンテンツを、サマリ配信サーバシステムが、図１２例示のエリア提供コンテンツ管理サーバに管理するサマリコンテンツの中から抽出する、のが図１５例示のステップ１１２２である。従って、ステップ１１２２以降で実施例２の端末は、サマリ配信サーバシステムから受取るサマリコンテンツを全て自端末に格納する。サマリ配信サーバシステムから受取る１件目のサマリコンテンツにかかるルーチンステップが図１５例示のステップ１１２５である。
【０２０９】
なおここで、サマリ配信サーバシステムが自システムで取り扱う全ジャンルのサマリコンテンツというのは次の通りである。サマリ配信サーバシステムが例えば図５（ｂ）例示の０５Ａ２テーブル記載のＺＯＮＥ１００１１といったサマリ配信サーバシステムだったとすると、自システムで取り扱う全ジャンルのサマリコンテンツとは、図７例示のスケジュールテーブル記載の符号０５Ｃ３で示すテーブルに記載される、ジャンル及びサマリコンテンツ全て、ということを意味する。同図７例示でＺＯＮＥ１００１３といったサマリ配信サーバシステムでは、そのシステムで取り扱う全ジャンルのサマリコンテンツは、無い（取り扱うサマリコンテンツが無い、ことを図７では例示している）。但し、図７は、管理制御サーバシステムが生成（ないしは再生成）・管理する情報テーブルの様を例示したものであり、サマリ配信サーバシステムで管理する様を図示したものではない。しかしながら、図７例示の０５Ｃ２といった情報テーブルが管理制御サーバシステムから全サマリ配信サーバシステム各々に展開されるのであり、ＺＯＮＥ１００１１のサマリ配信サーバシステムで管理するサマリコンテンツ全てとは、図７例示の０５Ｃ３に相応する。このことは、広告コンテンツに関しても同様である。すなわち、ＺＯＮＥ１００１１のサマリ配信サーバシステムで管理する広告コンテンツ全てとは、図７例示の０５Ｃ４に相応する。言い換えれば、ＺＯＮＥ１００１１のサマリ配信サーバシステムで管理するコンテンツ（サマリコンテンツ及び広告コンテンツの双方）全てが、図７例示の０５Ｃ２に相応する。
【０２１０】
図１５例示でサマリコンテンツのフィルタリングのステップ１１２２の後、サマリ配信サーバシステムは、ステップ１１２２で抽出した１件目のサマリコンテンツを端末に提供する（ステップ１１２３）。このとき、ステップ１１２２のフィルタリング処理で、該当するサマリコンテンツが存在しない場合は、ユーザが登録したジャンルに関するサマリコンテンツが無い旨をサマリ配信サーバシステムは端末に返すなど、となったりする。
【０２１１】
１１２３でサマリ配信サーバシステムから提供のサマリコンテンツは、端末で格納する。この格納の際、端末は、実施例１の端末に同様、図１０例示の処理０７０８を行なう（図１５例示のステップ１１２４。ステップ１１２４は図１４例示で１０１１及び１０１２に相応する）。このステップ１１２４は、実施例１の図１０例示の０７０８に同様、無くとも良い。つまり、格納するサマリコンテンツに対し端末がこのステップ１１２４で関連付けする時間情報とは、詳細コンテンツ配信サーバシステム０２０３に端末がアクセスした際、端末が詳細コンテンツ配信サーバシステム０２０３に提供する情報の１つであって、詳細コンテンツ配信サーバがこの時間情報を収集しない場合などでは、必要としない。
【０２１２】
なお、サマリコンテンツを受取って（ステップ１１２３）格納する（ステップ１１２４）といったサマリコンテンツ１件分のルーチン処理１１２５で、端末は、受取ったサマリコンテンツ（ステップ１１２３）が既に端末内に格納済みであるかどうかを確認し、確認済みである場合は受取ったサマリコンテンツを破棄し、格納未である場合には該サマリコンテンツ（ステップ１１２３）に対し、ステップ１１２４の処理を行なう、などといった態様となる。
【０２１３】
また実施例２のサマリ配信サーバシステムは、図１５例示のステップ１１２２処理で抽出したサマリコンテンツ（このサマリコンテンツは、ユーザが取得希望したジャンルに合致するサマリコンテンツであり、通常１件以上のサマリコンテンツが抽出される。なお、合致するサマリコンテンツが皆無の場合、その旨を１１２３で端末に返す。）を全て端末に提供する。図１５例示で、１件目のサマリコンテンツの提供がステップ１１２３、２件目の提供がステップ１１２３Ａ、といった具合である。すなわち、図１５例示で、ステップ１１２３、ステップ１１２４といったサマリコンテンツ１件分のルーチン処理（ステップ１１２５）が終わり、２件目以降も同様の処理が続く。ステップ１１２３に相当する次のサマリコンテンツの受信ステップ１１２３Ａ、ステップ１１２４に相当する端末内処理（ステップ１１２３Ａで受取ったサマリコンテンツが既に格納済みかどうかを確認し、未である場合は格納、既である場合は破棄、更に格納の場合は格納時の時間情報を管理する、といった処理）ステップ１１２４Ａ、といった具合に続く。
【０２１４】
このようにサマリコンテンツを端末が取得した後、その端末所持ユーザがサマリコンテンツを確認（ないしは閲覧）する、或いは、端末内の任意サマリコンテンツを確認（ないしは閲覧）する、或いは、サマリコンテンツの内容に例えば興味を抱いた際などでサマリコンテンツにかかる詳細コンテンツにアクセスする、などの際は、実施例２の端末も、実施例１の端末に同様、図６例示の（ｃ）に同様、詳細コンテンツ配信サーバにアクセスし、例えば興味を抱いたサマリコンテンツにかかる詳細コンテンツを得る。
【０２１５】
更に、実施例２でも、サマリ配信サーバシステム、詳細コンテンツ配信サーバシステム、それぞれにアクセスした端末所持ユーザの動向（アクセス数）を管理制御サーバシステムが収集し、その収集値を下に、管理制御サーバシステムが自システムで生成・再生成し管理するスケジュールテーブル（例えば図７例示の情報テーブルなど）を更新し、再びサマリ配信サーバシステム各々へ展開することで、端末所持・不所持に関わらず広告表示装置近傍の不特定多数のユーザに対し、広告内容を表示する、ないしは広告表示を切り替えることは実施例１に同様となる。
【図面の簡単な説明】
【０２１６】
【図１】１実施形態を示す。
【図２】１実施形態の全体構成を示す。
【図３】１実施形態にかかる一連の概要動作を示す。
【図４】実施例１の主要部の構成を示す。
【図５】サマリコンテンツや広告コンテンツの配信に関連した情報テーブルを示す。
【図６】サマリコンテンツや広告コンテンツに関連した情報テーブルを示す。
【図７】スケジュールに関連した情報テーブルを示す。
【図８】収集（集計情報）テーブルを示す。
【図９】実施例１の端末の動作フローを示す。
【図１０】実施例１の端末における初期準備及びサマリコンテンツ受信のフローを示す。
【図１１】実施例１の端末における詳細コンテンツアクセスのフローを示す。
【図１２】実施例２のシステム構成例を示す。
【図１３】実施例２のユーザテーブルを示す。
【図１４】実施例２の端末の動作フローを示す。
【図１５】実施例２の端末のアクセスフローを示す。
【符号の説明】
【０２１７】
０１０１：第１ネットワークエリア（アクセス可能エリア）、０１０２：第２ネットワークエリア（アクセス可能エリア）、０１０３：ユーザ、０１０４：移動を示す補助符号、０１０５：第２ネットワークエリアから隔たつ距離、０１０６：アクセスポイント（第２ネットワークへのアクセスを可能とする機器例）、０２０１：ＷｉＭＡＸアクセスポイント、０２０２：サマリ配信サーバシステム、０２０３：詳細コンテンツ配信サーバシステム、０２０５：管理制御サーバシステム、０２１２：表示装置、０２１５：端末（ユーザ）。
【図１】
2009128498.tif 000003
【図２】
2009128498.tif 000004
【図３】
2009128498.tif 000005
【図４】
2009128498.tif 000006
【図５】
2009128498.tif 000007
【図６】
2009128498.tif 000008
【図７】
2009128498.tif 000009
【図８】
2009128498.tif 000010
【図９】
2009128498.tif 000011
【図１０】
2009128498.tif 000012
【図１１】
2009128498.tif 000013
【図１２】
2009128498.tif 000014
【図１３】
2009128498.tif 000015
【図１４】
2009128498.tif 000016
【図１５】
2009128498.tif 000017